(57)【要約】【課題】給水装置において、水位計に異常が生じたときにも給水を継続できる給水装置を提供する。【解決手段】ポンプを有し、給水先に搬送液を供給するための給水装置が提案される。前記給水装置は、前記搬送液を貯水する水槽に設けられた水位計からの水位信号に基づいて水槽制御を行う制御部を備え、前記制御部は、所定の検出条件に基づいて前記水槽の水位状態を検出し、当該検出した水位状態が所定の異常水位状態であると判断したら、前記検出条件を第１の検出条件から第２の検出条件へ変更することを特徴とする。【選択図】図９
2020159244.tif 000002
【特許請求の範囲】
【請求項１】
ポンプを有し、給水先に搬送液を供給するための給水装置であって、
前記給水装置は、
前記搬送液を貯水する水槽に設けられた水位計からの水位信号に基づいて水槽制御を行う制御部を備え、
前記制御部は、
所定の検出条件に基づいて前記水槽の水位状態を検出し、当該検出した水位状態が所定の異常水位状態であると判断したら、前記検出条件を第１の検出条件から第２の検出条件へ変更することを特徴とする、
給水装置。
【請求項２】
前記水位計は複数の電極棒を備えた電極式レベルスイッチであって、
前記制御部は、前記検出条件に基づいて、前記複数の電極棒に前記水槽の少なくともひとつの水位レベルを割り当てて前記水槽の水位状態を検出し、
前記第２の検出条件では、前記複数の電極棒のうち前記第１の検出条件下で異常水位状態であると判断された電極棒を除いた電極棒のみで前記水位レベルを検出する、
請求項１に記載の給水装置。
【請求項３】
前記水位計は複数の電極棒を備えた電極式レベルスイッチであって、
前記制御部は、前記検出条件に基づいて、前記複数の電極棒に前記水槽の複数の水位レベルを割り当てて前記水槽の水位状態を検出し、
前記第１の検出条件下で異常水位状態であると判断された水位レベルは、前記第２の検出条件で前記第１の検出条件とは別の電極棒が割り当てられる、
請求項１または２に記載の給水装置。
【請求項４】
前記検出条件は、警報リセットの外部入力によって
前記第２の検出条件から前記第１の検出条件に復帰する、
請求項１から３の何れか１項に記載の給水装置。
【請求項５】
前記給水装置は前記水槽に貯められた液をポンプにて加圧して給水先に供給する受水槽方式で使用され、
前記制御部は、
前記第１の検出条件下で前記水位計から入力された水位信号が渇水の水位レベル未満を検出したら前記異常水位状態であると判断することを特徴とする、
請求項１から４の何れか１項に記載の給水装置。
【請求項６】
前記給水装置は、前記ポンプにて加圧した搬送液を前記水槽に貯水し、当該貯水した搬送液を給水先に供給する高置水槽方式で使用され、
前記第１の検出条件下で前記水位計から入力された水位信号が満水の水位レベル以上を検出したら前記異常水位状態であると判断することを特徴とする、
請求項１から４の何れか１項に記載の給水装置。
【請求項７】
前記第１の検出条件下の前記水槽制御によって強制停止された前記ポンプが、前記第２の検出条件への変更によって前記強制停止を解除される、
請求項１から６の何れか１項に記載の給水装置。
【請求項８】
前記制御部は、
前記ポンプの吐出し圧力、及び／又は、吐出し流量に基づいて、前記ポンプが空運転であるか否かを判断し、
前記検出条件が前記第２の検出条件に変更されているときに前記ポンプが空運転であると判断したら、前記ポンプを異常停止することを特徴とする、
請求項１から７の何れか１項に記載の給水装置。
【請求項９】
前記制御部は、
前記ポンプの吐出し圧力、及び／又は、吐出し流量に基づいて、所定の運転状態が空運転検出時間継続したときに、前記ポンプが空運転であると判断して当該ポンプを異常停止し、
前記検出条件が前記第２の検出条件に変更されているときには、前記検出条件が前記第１の検出条件であるときよりも、前記空運転検出時間を短い時間とする、
請求項１から７の何れか１項に記載の給水装置。
【請求項１０】
前記水位計は複数の電極棒を備えた電極式レベルスイッチであって、
前記所定の異常水位状態は、前記水位計にて検出される水位レベルに矛盾が生じている状態であって、
前記水位計にて検出される水位レベルに矛盾が生じている状態は、前記複数の電極棒のうち少なくともひとつが水面より露出した状態を検出するのと同時に、該露出した電極棒よりも高い水位を検出する電極棒の一部が水没した状態を検出した状態である、
請求項１から９の何れか１項に記載の給水装置。
【請求項１１】
前記水位計は複数の電極棒を備えた電極式レベルスイッチであって、
前記所定の異常水位状態は、前記水位計にて検出される水位レベルに矛盾が生じている状態であって、
前記水位計にて検出される水位レベルに矛盾が生じている状態は、前記複数の電極棒のうち少なくともひとつが水没した状態を検出するのと同時に、該露出した電極棒よりも低い水位を検出する電極棒が水面より露出した状態を検出した状態である、
請求項１から１０の何れか１項に記載の給水装置。
【請求項１２】
前記制御部は、
第２の検出条件下で、警報を報知しつつ前記ポンプを給水制御にて運転することを特徴とする、
請求項１から１１の何れか１項に記載の給水装置。
【請求項１３】
前記制御部は、
前記水槽の水位を検出する複数の水位計のうち、少なくともひとつの水位計の水位信号に基づいて前記水槽制御を行い、
前記複数の水位計のうちの少なくともひとつの水位計を制御用センサとし、
前記制御用センサで所定の異常を検出したら、当該異常を検出した水位計と異なる水位計である変更センサを用いて前記水槽の水位状態の検出を行うことを特徴とする、
請求項１から１２の何れか１項に記載の給水装置。
【請求項１４】
ポンプにて給水先に搬送液を供給するための給水装置であって、
前記給水装置は水槽に貯められた液をポンプにて加圧して給水先に供給する受水槽方式で使用され、
前記給水装置は、前記水槽の渇水水位レベルと前記渇水水位レベルよりも高い所定の水位レベルとを検出する水位計の水位信号を入力し、且つ、前記ポンプを給水制御する制御部を有し、
前記制御部は、
前記渇水水位レベル未満と前記所定の水位レベル未満の水位信号を入力したら前記ポンプを強制停止し、
前記渇水水位レベル未満と前記所定の水位レベル以上の水位信号を入力したら前記ポンプの給水制御を継続する、
給水装置。
【発明の詳細な説明】
【技術分野】
【０００１】
本発明は、給水装置に関する。
【背景技術】
【０００２】
給水装置は、建物等の給水対象に水道水を供給するために広く使用されている。給水装置の給水方式としては、水道本管の水が貯留された受水槽の水を給水対象へポンプにて加圧する受水槽方式、及び、水道本管の本管圧を利用しポンプにて増圧することにより給水対象へ水を供給する直結給水方式などが知られている。
【０００３】
受水槽方式には、ひとつの受水槽にて構成される受水槽一槽式と、仕切弁が設けられた連通管によって互いに連通する２つの受水槽にて構成される受水槽二槽式がある。受水槽二槽式の場合、通常時は仕切弁を開いて２つの受水槽が連通した状態とされ、２つの受水槽に溜められた水を給水装置のポンプによって給水対象に供給する。そして、仕切弁を閉じることにより、一方の水槽を用いて給水対象への給水を継続しながら他方の水槽の清掃等を行うことができる。このときには、運転パネルなどを通じてユーザが給水に使用する受水槽を選択する。（特許文献１）
【０００４】
また、給水装置のポンプによって建物の屋上に設置された高置水槽に送水し、当該高置水槽から給水対象に供給する高置水槽方式がある。高置水槽方式では、主に直結給水方式の給水装置が用いられ、ポンプは、高置水槽の水位が所定の始動水位以下で始動し当該始動水位以上の所定の停止水位まで達したら停止する。（特許文献３）
【先行技術文献】
【特許文献】
【０００５】
【特許文献１】特許第３７９８４７９号明細書
【特許文献２】特開２００６−１６１７９１
【特許文献３】特許第４００１５７３号明細書
【発明の概要】
【発明が解決しようとする課題】
【０００６】
受水槽に水がない状態でポンプを運転するとポンプが壊れてしまうため、水位計の異常によって受水槽の渇水が検出されると、給水装置のポンプが強制停止されて断水してしまう。（特許文献２）しかしながら、給水対象への給水はライフラインであり、断水は極力避けなければならない。
【０００７】
また、高置水槽方式では、水位計の異常によって、ポンプを起動する水位が検出できないと、高置水槽の水が枯渇してしまい断水する。更に、ポンプ起動後にポンプの停止水位を検出できないと、水槽内の水が溢れて階下の住居に２次被害を及ぼしてしまう。
【０００８】
本発明は、上述した事情に鑑みてなされたもので、給水装置において、水位計に異常が生じたときにも給水を継続できる給水装置を提供することを目的とする。
【課題を解決するための手段】
【０００９】
一実施形態によれば、ポンプを有し、給水先に搬送液を供給するための給水装置が提案される。前記給水装置は、前記搬送液を貯水する水槽に設けられた水位計からの水位信号に基づいて水槽制御を行う制御部を備え、前記制御部は、所定の検出条件に基づいて前記水槽の水位状態を検出し、当該検出した水位状態が所定の異常水位状態であると判断した
ら、前記検出条件を第１の検出条件から第２の検出条件へ変更することを特徴とする。かかる給水装置によれば、第１の検出条件で水位計を使用して異常水位状態であると判断されると、検出条件が第１の検出条件から第２の検出条件へと変更される。このように、水位計の検出条件を変更することで、ポンプの異常停止を抑制して給水を継続することができる。
【図面の簡単な説明】
【００１０】
【図１Ａ】本発明の第１の実施形態に係る給水設備の一例を示す図である。
【図１Ｂ】本実施形態に係る運転パネルの一例を示す図である。
【図２】制御部により実行される受水槽の水位判定処理の一例を示すフローチャートである。
【図３】制御部により実行されるセンサ変更判定処理の一例を示すフローチャートである。
【図４】給水設備の別の一例を示す図である。
【図５】変形例に係る給水設備の一例を示す図である。
【図６】変形例の給水装置の制御部における水位計判定処理を示すフローチャートである。
【図７】変形例の制御部により実行されるセンサ変更判定処理の一例を示すフローチャートである。
【図８】第２の実施形態に係る給水設備の一例を示す図である。
【図９】受水槽内の水位状態の検出条件の第１の検出条件から第２の検出条件への切り替えを示すフローチャートである。
【図１０】給水設備における水位計として電極式レベルスイッチの別の例を示す図であり、（Ａ）はは第１の検出条件における水位レベルを示し、（Ｂ）は第２の検出条件における水位レベルを示す。
【図１１】給水設備における水位計として電極式レベルスイッチの別の例を示す図であり、（Ａ）はは第１の検出条件における水位レベルを示し、（Ｂ）は第２の検出条件における水位レベルを示す。
【図１２】給水設備における水位計として電極式レベルスイッチの別の例を示す図であり、（Ａ）はは第１の検出条件における水位レベルを示し、（Ｂ）は第２の検出条件における水位レベルを示す。
【図１３】給水設備における水位計として電極式レベルスイッチの別の例を示す図であり、（Ａ）はは第１の検出条件における水位レベルを示し、（Ｂ）は第２の検出条件における水位レベルを示す。
【図１４】第３の実施形態に係る給水設備の一例を示す図である。
【図１５Ａ】高置水槽方式に用いられる水位計の一例を示す図であり、第１の検出条件における水位レベルを示す。
【図１５Ｂ】高置水槽方式に用いられる水位計の一例を示す図であり、第２の検出条件における水位レベルを示す。
【図１５Ｃ】高置水槽方式に用いられる水位計の一例を示す図であり、第２の検出条件における水位レベルを示す。
【図１５Ｄ】高置水槽方式に用いられる水位計の一例を示す図であり、第２の検出条件における水位レベルを示す。
【図１５Ｅ】高置水槽方式に用いられる水位計の一例を示す図であり、第２の検出条件における水位レベルを示す。
【図１５Ｆ】高置水槽方式に用いられる水位計の一例を示す図であり、第２の検出条件における水位レベルを示す。
【図１６】第３の実施形態に係る給水設備の変形例を示す図である。
【図１７】第３の実施形態に係る給水設備の別の変形例を示す図である。
【発明を実施するための形態】
【００１１】
以下、本発明の実施形態について図面を参照して説明する。なお、図面では、同一または相当する構成要素には、同一の符号を付して重複した説明を省略する。
【００１２】
（第１の実施形態）
図１Ａは、本発明の第１の実施形態に係る給水設備を示す図である。この給水設備は給水装置１０と、受水槽１１０Ａ（第１受水槽）と、受水槽１１０Ｂ（第２受水槽）と、を備え、主にマンション、オフィスビル、商業施設、又は、学校等の建物（給水対象）に水（搬送液）を供給するための設備である。図１Ａに示すように、本実施形態では、給水装置１０は、吸込側（上流側）に２つの受水槽１１０Ａ，１１０Ｂが設置される受水槽方式（受水槽二槽式）で使用されている。給水装置１０の吐出口には給水管１０７が接続されており、この給水管１０７は、図示しない各建物の給水栓（例えば蛇口）に連通する。給水装置１０は、水供給源である図示しない水道本管から受水槽１１０Ａ，１１０Ｂに貯められた水を加圧し、建物の各給水栓に水を供給する。給水装置１０が給水に用いる受水槽は、受水槽選択として、受水槽１１０Ａ、受水槽１１０Ｂ、または、受水槽１１０Ａと受水槽１１０Ｂの両方である共用（受水槽共用）の何れかを選択可能である。
【００１３】
なお、給水装置１０は、受水槽１１０Ａを用いて給水を行う第１受水槽モード、受水槽１１０Ｂを用いて給水を行う第２受水槽モード、後述する仕切弁１１８Ｂが解放された状態で受水槽１１０Ａと受水槽１１０Ｂの両方を用いて給水を行う受水槽共用モードのうち何れかのモードを備える。本実施形態では、受水槽選択にて受水槽１１０Ａが選択されたときに第１受水槽モード、受水槽１１０Ｂが選択されたときに第２受水槽モード、共用が選択されたときに受水槽共用モードとする。
【００１４】
まず、受水槽二槽式について説明する。受水槽二槽式では、２つの受水槽１１０Ａ，受水槽１１０Ｂが使用される。２つの受水槽１１０Ａ，受水槽１１０Ｂには、水道本管に連通する導入管１０２より分岐した流入管１３０Ａ（第１流入管），１３０Ｂ（第２流入管）によって、水供給源である水道本管（図示せず）からの水が貯められる。流入管１３０Ａ，１３０Ｂのそれぞれには、市水流入弁１３２Ａ（第１市水流入弁），１３２Ｂ（第２市水流入弁）が設けられている。市水流入弁１３２Ａ，１３２Ｂは流入管１３０Ａ，１３０Ｂの流路を遮蔽可能なバルブであって、例えば、電磁弁で構成されており、給水装置１０のＩ/Ｏ部４７からの出力信号によって制御される。受水槽１１０Ａは、市水流入弁１３２Ａが設けられた流入管１３０Ａの下流に設置されており、市水流入弁１３２Ａ，１３２Ｂが開けられることにより、導入管１０２の水が受水槽１１０Ａへと流入し、受水槽１１０Ｂは、市水流入弁１３２Ｂが設けられた流入管１３０Ｂの下流に設置されており、市水流入弁１３２Ｂが開けられることにより、導入管１０２の水が受水槽１１０Ｂへと流入する。
【００１５】
受水槽１１０Ａ，１１０Ｂと給水装置１０の吸込口とは、導入管１１６Ａ，１１６Ｂによって接続されている。導入管１１６Ａ，１１６Ｂのそれぞれには、手動で開閉可能な仕切弁１１８Ａ，１１８Ｂが設けられている。仕切弁１１８Ａが開けられることによって受水槽１１０Ａと給水装置１０とが連通し、仕切弁１１８Ｂが開けられることによって受水槽１１０Ｂと給水装置１０とが連通して、受水槽１１０Ａ，１１０Ｂの一方または両方に貯められた水が給水装置１０に導入される。
【００１６】
また、受水槽１１０Ａ，１１０Ｂは、止水弁１１４が設けられた連通管１１２によって互いに接続されている。止水弁１１４は例えば仕切弁で構成され、受水槽１１０Ａ，１１０Ｂの水位は、止水弁１１４が開かれているときには受水槽１１０Ａ，１１０Ｂの水位は同じ水位となり、止水弁１１４が閉じられているときには互いに独立した水位となる。
【００１７】
受水槽１１０Ａ，１１０Ｂのそれぞれには、受水槽１１０Ａ内の水位を検知する水位計である第１水位計、受水槽１１０Ｂ内の水位を検知する水位計である第２水位計が設けられている。具体的には、受水槽１１０Ａ，１１０Ｂ内の水位を検知する水位計である電極式レベルスイッチ１２０Ａ（第１水位計），電極式レベルスイッチ１２０Ｂ（第２水位計）が設けられている。受水槽１１０Ａ，１１０Ｂ内の水位の状態は、ポンプ２０を強制的に停止させる所定の水位以下が渇水状態であり、水が溢れる虞がある所定の水位以上が満水状態である。給水装置１０のＩ／Ｏ部４７は、電極式レベルスイッチ１２０Ａ，１２０Ｂによる検出信号を入力する。電極式レベルスイッチ１２０Ａ，１２０Ｂのそれぞれは、受水槽１１０Ａ，１１０Ｂ内に配置される複数の電極棒１２１〜１２５を備えている。複数の電極棒１２１〜１２５は、水位検知器であって、コモン電極棒１２１、及び、低い水位を検出できる順に、渇水の検出のための電極棒１２２、市水流入弁１３２Ａ，１３２Ｂを開放する開水位の検出のための電極棒１２３、市水流入弁１３２Ａ，１３２Ｂを閉止する閉水位の検出のための電極棒１２４、満水の検出のための電極棒１２５となっている。なお、電極式レベルスイッチ１２０Ａ，１２０Ｂは、５本の電極棒１２１〜１２５を有するものに限られず、３本、４本、または６本以上の電極棒を有してもよい。その場合でも、最も低い水位を検出できる電極棒にて渇水を検出し、最も高い水位を検出できる電極棒にて満水を検出するとよい。また、市水流入弁１３２Ａ，１３２Ｂを開放するための水位は、市水流入弁１３２Ａ，１３２Ｂを閉止するための水位よりも低い水位とするとよい。
【００１８】
ここで、電極式レベルスイッチ１２０Ａ（第１水位計），電極式レベルスイッチ１２０Ｂ（第２水位計）においては、各電極棒１２１〜１２５と最も長いコモン電極棒１２１との間の抵抗値の変化を検出することにより、水位が各電極棒１２２〜１２５の下端よりも高い位置にあることを検出するようになっている。すなわち、電極式レベルスイッチ１２０Ａ（第１水位計），電極式レベルスイッチ１２０Ｂ（第２水位計）の水位が各電極棒１２２〜１２５の下端よりも高くなって電極棒１２２〜１２５とコモン電極棒１２１の間が水により導通されたときに各水位の検出信号を後述するＩ／Ｏ部４７へ出力する。
【００１９】
受水槽１１０Ａ，１１０Ｂのそれぞれには、電極式レベルスイッチ１２０Ａ，１２０Ｂに代えて、もしくは加えて、受水槽１１０Ａ，１１０Ｂ内の水位を検知する水位計であるフロートスイッチ１４０Ａ，１４０Ｂが設けられていてもよい。フロートスイッチ１４０Ａ，１４０Ｂによる検出信号は給水装置１０の制御部４０に送信される。なお、フロートスイッチ１４０Ａ，１４０Ｂは、渇水の水位、市水流入弁１３２Ａ，１３２Ｂの開水位、市水流入弁の閉水位、満水の水位を検出するために複数設けられてもよい。
【００２０】
なお、市水流入弁１３２Ａ，１３２Ｂの開閉は制御部４０を介さずに行ってもよい。具体的は上述した水位計に市水流入弁１３２Ａ，１３２Ｂに接続されるリレー接点等の出力部を設け、該出力部からの信号によって市水流入弁１３２Ａ，１３２Ｂの開閉を制御する。各水位計は、市水流入弁１３２Ａ，１３２Ｂの開水位以下の検出により該当する市水流入弁１３２Ａ，１３２Ｂを開とする信号をＯＮし、市水流入弁の閉水位以上の検出にて該当する市水流入弁の開とする信号をＯＦＦしてもよい。
【００２１】
次に、本実施形態の給水装置１０について説明する。給水装置１０は、ポンプ２０と、このポンプ２０を駆動する駆動部としてのモータ２１と、モータ２１を可変速駆動する周波数変換器としてのインバータ２２と、を備えている。また、給水装置１０は、ポンプ２０の吐出し側（下流側）に、逆止弁２３と、フロースイッチ２４と、圧力センサ２６と、圧力タンク２８と、を備える。
【００２２】
図１に示す例では、ポンプ２０、モータ２１、逆止弁２３、および、フロースイッチ２４が２組設けられ、これらは並列に設けられている。なお、１組、または３組以上のポンプ２０、モータ２１、逆止弁２３、およびフロースイッチ２４が設けられてもよい。複数
台のポンプ２０を設けることにより、一部のポンプ２０が運転不可となった場合には、運転可能な他のポンプ２０にて給水を継続し極力断水を避けるようになっている。
【００２３】
逆止弁２３は、ポンプ２０の吐出口に接続された吐出管３２に設けられており、ポンプ２０が停止したときの水の逆流を防止する。逆止弁２３の下流側には、フロースイッチ２４が設けられている。フロースイッチ２４は、吐出管３２を流れる水の流量が所定の値にまで低下したこと、すなわち過少水量（小水量）を検出する流量検出器である。吐出管３２におけるフロースイッチ２４のさらに下流側には、圧力センサ２６、及び、圧力タンク２８が設けられている。圧力センサ２６は、ポンプ２０の吐出し圧力（以降、吐出し圧力とは、圧力センサ２６にて測定した圧力値を示す。）を測定するための圧力測定器である。圧力タンク２８は、ポンプ２０が停止している間の吐出し圧力を保持するための圧力保持器である。
【００２４】
給水装置１０は、ポンプ２０を制御して給水動作を制御する制御部４０を備えている。図１Ａに示すように、制御部４０は、記憶部４１と、演算部４２と、Ｉ／Ｏ部４７と、運転パネル４４と、通信部４８と、を備えている。
【００２５】
記憶部４１としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。記憶部４１は、給水装置１０を制御するための制御プログラムと、装置情報、設定値情報、メンテナンス情報、履歴情報、異常情報、運転情報等の給水装置１０に関する各種データを記憶する。なお、これらは、記憶部４１が不揮発性記憶領域を有する場合には、その不揮発性記憶領域に記憶されてもよい。
【００２６】
なお、本実施形態では、設定変更可能な装置情報または設定値情報として、受水槽が一槽式または二槽式であるか、受水槽選択、電極式レベルスイッチ１２０Ａ，１２０Ｂにおける電極棒の本数、さらには各電極に入力される水位信号並びに現在選択されている受水槽１１０Ａおよび／または１１０Ｂが記憶される。
【００２７】
演算部４２としては、ＣＰＵが使用される。演算部４２は、記憶部４１に格納されている制御プログラム及び各種データ、並びにＩ／Ｏ部４７から入力される信号に基づいて、給水装置１０を構成する各機器を制御するための演算等を行う。また、演算部４２は、通信部４８及びＩ／Ｏ部４７等における通信制御、並びに、運転パネル４４における表示および操作の制御を行う。演算部４２における演算結果は、記憶部４１に記憶されるとともに、Ｉ／Ｏ部４７、通信部４８に出力される。
【００２８】
Ｉ／Ｏ部４７としては、ポート等が使用される。Ｉ／Ｏ部４７は、圧力センサ２６、フロースイッチ２４、受水槽１１０Ａ，１１０Ｂに設けられている電極式レベルスイッチ１２０Ａ，１２０Ｂ、フロートスイッチ１４０Ａ，１４０Ｂ、等の各種センサ類の検出信号等を受け入れて演算部４２に送る。また、Ｉ／Ｏ部４７は、受水槽１１０Ａ，１１０Ｂへの導入管１０２に設けられた市水流入弁１３２Ａ，１３２Ｂへ演算部４２からの指令信号を送る。また、Ｉ／Ｏ部４７は、インバータ２２と互いに接続されている。Ｉ／Ｏ部４７とインバータ２２とは、ＲＳ４２２，２３２Ｃ，４８５等の通信手段により互いに接続されるとよい。
【００２９】
運転パネル４４は、記憶部４１に記憶される各種データを、演算部４２を介して表示ならびに変更することができるＧＵＩである。具体的には、運転パネル４４は、装置情報、設定値情報、メンテナンス情報の表示および設定変更、メンテナンス情報、履歴情報の表示、入力、履歴のクリア、異常情報の表示およびリセット、並びに、運転情報の表示等を行う。なお、制御部４０と運転パネル４４は別々の基板としてもよい。この場合、制御部
４０と運転パネル４４とは、シリアル通信もしくは信号線等の有線、または無線にて接続されるとよい。制御部４０と運転パネル４４とを別々の基板とした場合は、運転パネル４４を給水装置１０から離れた場所（例えば、管理人室等）に設置してもよい。また、運転パネル４４は、ＣＰＵを備えて該ＣＰＵにて表示操作の制御をしたり、制御部４０および外部端末８０との通信制御を行ったりしてもよい。
【００３０】
運転パネル４４の設定部４５は、制御部４０の情報入力部であって、ユーザの外部操作により給水装置１０における自動給水の運転/停止、受水槽１１０Ａ，１１０Ｂの選択、警報リセット、及び、各種データの設定変更等の各種入力操作を行うために使用される。設定部４５は、不図示の操作ボタンまたはタッチパネル等を備えるとよい。ここで、本実施形態では、設定部４５を通じた入力と、通信部４８を通じた入力とを、外部入力という。設定部４５を通じて外部操作によって入力された情報は、記憶部４１に記憶される。例えば、設定部４５は、給水装置１０の給水方式、設定圧力ＰＡ、最低圧力ＰＢ、始動圧力Ｐ０、停止圧力Ｐ１を設定値情報として設定変更することができる。
【００３１】
運転パネル４４の表示部４６は、ユーザインターフェースとして機能し、記憶部４１に格納されている各種データを表示できるように構成されている。給水装置１０は、機械室またはポンプ室などの電気的なノイズの多い環境に設置されることがある。こうした場合に備えて、表示部４６として、液晶表示およびタッチパネルよりも電気的ノイズに強い７セグメントＬＥＤまたは表示灯、並びに、機械的な押圧ボタンなどにて構成された表示器が使用されてもよい。これにより、電気的なノイズ等によって外部端末８０の表示操作部８０Ａに異常が発生するような外部環境においても、給水装置１０の運転に必要な最低限度の表示を表示部４６に表示することができる。したがって、給水装置１０を電気的ノイズの多い環境下にも設置することができる。ただし、表示部４６としては、電気的ノイズに強い表示器に限定されず、ドットマトリクス方式による液晶表示器などが使用されてもよい。
【００３２】
図１Ｂは、本実施形態の運転パネル４４の一例を示す図である。本実施形態の運転パネル４４は、図示するように、操作ボタンとしての水槽選択ボタン４４１、および、複数のＬＥＤ（Ｌ１〜Ｌ４）を有するとよい。水槽選択ボタン４４１は例えばタクトスイッチであって操作者が押下することで、受水槽選択として「Ｎｏ．１」、「Ｎｏ．２」または「共用」の何れかを選択できる。給水装置１０は、受水槽選択が「Ｎｏ．１」であれば、受水槽１１０Ａを用いて給水を行い、受水槽選択が「Ｎｏ．２」であれば、受水槽１１０Ｂを用いて給水を行い、受水槽選択が「共用」であれば、受水槽１１０Ａと受水槽１１０Ｂの両方を用いて給水を行う。水槽選択ボタン４４１による受水槽選択の状態は、Ｌ３，Ｌ４の一方または両方の点灯によって示される。つまり、「Ｎｏ．１」が選択されているときにはＬ３のみが点灯し、「Ｎｏ．２」が選択されているときにはＬ４のみが点灯し、「共用」が選択されているときにはＬ３、Ｌ４の両方が点灯する。また、水位警報が、Ｌ１、もしくは、Ｌ２の点灯または点滅によって示されるとよい。具体的には、受水槽選択として選択された受水槽の水位が満水状態となっているときに満水警報であるとしてＬ１が点灯する。また、選択された受水槽水位が減水状態となっているときに減水警報としてＬ２が点滅し、選択された受水槽水位が渇水状態となっているときにＬ２が渇水警報として点灯する。なお、受水槽選択は、水槽選択ボタン４４１によって変更されるものに代えて、または加えて、通信部４８またはＩ／Ｏ部４７への外部入力によって変更されるものとしてもよい。
【００３３】
給水装置１０のユーザが受水槽選択にて「共用」を選択し、連通管１１２の止水弁１１４を開くと、給水装置１０は受水槽１１０Ａ，１１０Ｂに貯水された水を搬送する。このときには、仕切弁１１８Ａ，１１８Ｂの両方が開けられることが好ましいが、一方だけが開けられるものとしてもよい。給水装置１０のユーザが受水槽選択にて「Ｎｏ．１」また
は「Ｎｏ．２」を選択し、連通管１１２の止水弁１１４を閉じると、受水槽１１０Ａ，１１０Ｂは互いに独立した受水槽を構成する。給水装置１０のユーザが受水槽選択にて「Ｎｏ．１」を選択し、止水弁１１４を閉じ、仕切弁１１８Ａを開状態、仕切弁１１８Ｂを閉状態とするにより、受水槽１１０Ａを用いて給水装置１０による給水を継続しながら、受水槽１１０Ｂの水を抜いて清掃する等のメンテナンスすることができる。また、受水槽選択にて「Ｎｏ．２」を選択し、止水弁１１４を閉じた状態で、仕切弁１１８Ｂを開け、仕切弁１１８Ａを閉じることにより、受水槽１１０Ｂを用いて給水装置１０による給水を継続しながら、受水槽１１０Ａの清掃等のメンテナンスすることができる。
【００３４】
通信部４８は、有線通信または無線通信によって外部端末８０と通信可能なように構成されている。具体的には、記憶部４１に記憶された給水装置１０に関する各種情報を外部端末８０へ送信するとともに、制御部４０の情報入力部として外部端末８０からの設定値情報の設定変更を受信し、演算部４２に送る。なお、上記したように、本実施形態では、外部端末８０から通信部４８への信号の送信は、給水装置１０における「外部入力」に含まれる。通信部４８における無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ただし、ＮＦＣは、制御部４０と外部端末８０とを近づけるだけで通信を完了させることができる点で有利である。また、有線通信としては、例えば制御部４０にＵＳＢ（Universal  Serial  Bus）のような外部接続端子が設けられ、ここに外部端末８０が接続されることによって通信がなされてもよいし、ＲＳ４２２，２３２Ｃ，４８５等のシリアル通信を用いてもよい。
【００３５】
外部端末８０は、表示操作部８０Ａを有し、給水装置１０の通信部４８と通信して給水装置１０に関する各種データを表示・変更可能なように構成されている。具体的には、外部端末８０は、記憶部４１に記憶された各種データを給水装置１０の通信部４８から受信し表示操作部８０Ａに表示する。また、外部端末８０は、ユーザが表示操作部８０Ａを操作して入力した各種データの変更要求を給水装置１０の通信部４８へ送信する。表示操作部８０Ａは、タッチ入力方式または押圧ボタン方式を用いた液晶画面での高機能表示器を採用することができる。この場合、給水装置１０の表示部４６には簡易な情報を表示させ、外部端末８０には大きな情報量の情報を表示させてもよい。こうした構成により、外部端末８０は、記憶部４１に記憶された各種データのうち複数の情報（例えば、設定圧力ＰＡ、最低圧力ＰＢ、始動圧力Ｐ０、停止圧力Ｐ１、目標圧ＳＶ、現在圧ＰＶ、ポンプ２０の運転・停止、回転速度など）を、表示操作部８０Ａの同一画面上に表示することができる。これにより、給水装置１０に不慣れなユーザも誤解することなく、給水装置１０の状態を認識したり、設定入力を行うことができる。
【００３６】
さらに、外部端末８０として、スマートフォン、携帯電話、パソコン、又は、タブレットなどの汎用端末機器（ＰＤＡ）を採用した場合には、これらのＰＤＡに、外部端末８０として作用するための専用のアプリケーションソフトウエアをインストールさせてもよい。この場合には、専用のアプリケーションソフトウエアをユーザのレベル又は目的に沿って複数用意してもよい。
【００３７】
なお、上述した運転パネル４４の機能は、外部端末８０にて全て実施可能としてもよい。こうすれば、給水装置１０が操作しにくい場所（例えば、運転パネル４４が操作者の足元あたり）に設置されていても給水装置１０の状態確認や設定値情報の変更等の操作が容易となる。
【００３８】
次に、制御部４０による給水装置１０の給水制御の一例について説明する。渇水状態が発生しておらず、且つ、ポンプ２０が停止している状態で吐出し圧力が所定の始動圧力Ｐ
０にまで低下すると、制御部４０はポンプ２０の少なくとも一方を始動させる。具体的には、制御部４０はポンプ２０の駆動を開始するようにモータ２１（インバータを備える場合にはインバータ）に指令を出す。ポンプ２０の運転中は、設定された圧力（設定圧力ＰＡ）により推定末端圧力一定制御または目標圧力一定制御などの制御が行われる。具体的には推定末端圧力一定制御の場合は、水供給先の末端の圧力が最低圧力ＰＢにて一定となるように、制御部４０は、ポンプ２０の回転数と目標圧力制御カーブとを用いてポンプ２０の吐出し圧力に対する目標圧ＳＶを設定する。目標圧力一定制御の場合は、制御部４０は、ポンプ２０の吐出し側の圧力が設定圧力ＰＡとなるように、設定圧力ＰＡを目標圧ＳＶと設定する。また、推定末端圧力一定制御と目標圧力一定制御とのいずれの場合にも、制御部４０は、吐出し圧力を現在圧ＰＶと設定する。そして、目標圧ＳＶと現在圧ＰＶの偏差にてＰＩＤ演算が行われることにより、ポンプ２０の指令回転速度が設定される。なお、推定末端圧一定制御において、設定圧力ＰＡは最大流量時の圧力値であり、最低圧力ＰＢは、末端の給水栓における流量ゼロ時の圧力値である。また、制御部４０は、本実施形態のようにポンプが複数台ある場合は、同時に起動可能なポンプ台数（ポンプ並列運転台数）にて水量に応じたポンプの台数制御も行う。なお、ポンプ並列運転台数は設定値情報として記憶部４１に記憶されるとよい。
【００３９】
ポンプ２０の運転中に建物での水の使用が少なくなると、ポンプ２０からの吐出し流量が過少水量Ｑｍｉｎ未満に至ったことをフロースイッチ２４が検出し、検出信号がＩ／Ｏ部４７を介して制御部４０に送られる。制御部４０は、この検出信号を受けると、所定時間で吐出し圧力が停止圧力Ｐ１に達するようにポンプ２０の回転数を制御する蓄圧運転を行う。そして、吐出し圧力が所定の停止圧力Ｐ１に達すると、圧力タンク２８に蓄圧したと判断して蓄圧運転を終了し、ポンプ２０を停止（小水量停止）させる。ポンプ２０が小水量停止した後に、再び建物内で水が使用されて吐出し圧力が始動圧力Ｐ０以下まで低下すると、ポンプ２０の小停再始動が行われる。なお、本実施形態のようにポンプが複数台ある場合には、始動するポンプ２０をローテーションさせ、ポンプ２０内に水が滞留するのを防ぐことが好ましい。また、小水量を検知する方法としては、フロースイッチ２４を用いずに、モータ２１の電流値による低負荷や締切揚程等その他の手段を用いてもよい。
【００４０】
本実施形態では、電極式レベルスイッチ１２０Ａ，１２０Ｂのそれぞれの信号が制御部４０に入力されているが、制御部４０は、電極式レベルスイッチ１２０Ａと電極式レベルスイッチ１２０Ｂとの２つの入力信号うち、どちらか一方のみの信号に基づいて受水槽１１０Ａ，１１０Ｂの水位を判定し、判定した水位に基づいて受水槽制御を実行する。受水槽制御には、市水流入弁１３２Ａ，１３２Ｂの開閉制御、渇水状態によるポンプ２０の強制停止、運転パネル４４や外部端末８０等への水位警報の表示、及び市水流入弁１３２Ａ，１３２Ｂの開閉信号や水位警報等の外部出力等の少なくともひとつが含まれる。図２は、制御部４０により実行される受水槽１１０Ａ，１１０Ｂの水位判定処理の一例を示すフローチャートである。この水位判定処理は、給水装置１０が起動されているときに所定時間毎（例えば、数秒毎、または、数分毎）に繰り返し実行される。
【００４１】
水位判定処理が実行されると、制御部４０は、まず、現在選択されている受水槽（受水槽選択）を判定する（Ｓ１１０）。ここで、外部入力によって選択された受水槽は記憶部４１の所定領域に記憶され、Ｓ１１０の判定は、記憶部４１の所定領域を参照することにより行われるものとすればよい。
【００４２】
受水槽選択が「Ｎｏ．１」又は「Ｎｏ．２」であるときには（Ｓ１１０：第１or第２受水槽）、制御部４０は、選択された受水槽の水位計を制御用センサに設定する（Ｓ１２０）。つまり、制御部４０は、受水槽選択にて「Ｎｏ．１」が選択されている場合は第１水位計（電極式レベルスイッチ１２０Ａおよび／またはフロートスイッチ１４０Ａ）を制御用センサに設定し、「Ｎｏ．２」が選択されている場合は第２水位計（電極式レベルスイ
ッチ１２０Ｂおよび／またはフロートスイッチ１４０Ｂ）を制御用センサに設定する。制御用センサにて検知する水位を用いて受水槽制御を実行する。制御部４０は、制御用センサを設定したときには、記憶部４１に設定した制御用センサを記憶する。また、制御部４０は、記憶部４１に記憶された制御用センサを、操作者による設定部４５の操作などに応じて表示部４６に表示するものとしてもよい。さらに、制御部４０は、外部端末８０からの要求信号等に応じて現在設定されている制御用センサを通信により外部端末８０へ知らせるものとしてもよい。
【００４３】
そして、制御部４０は、設定した制御用センサの検出値を用いて受水槽の水位を判定して（Ｓ１６０）、水位判定処理を終了する。いまは、受水槽選択として「Ｎｏ．１」または「Ｎｏ．２」が選択されており、このときには止水弁１１４が閉じられて受水槽１１０Ａ，受水槽１１０Ｂが独立している状態である。このため、制御部４０は、使用される受水槽１１０Ａ，１１０Ｂの電極式レベルスイッチ１２０Ａ，１２０Ｂもしくはフロートスイッチ１４０Ａ，１４０Ｂを用いて受水槽１１０Ａまたは受水槽１１０Ｂの水位を判定するとよい。
【００４４】
一方、受水槽選択が、「共用」であるときには（Ｓ１１０：共用）、制御部４０は、続けて第１水位計に異常がないか否かを判定する（Ｓ１３０）。
【００４５】
ここで、第１水位計並びに第２水位計の異常の検出条件の一例として、市水流入弁１３２Ａを開く水位であることが検出されると同時に市水流入弁１３２Ａを閉じる水位であることが検出される、又は、渇水状態と満水状態などの渇水水位以上の水位状態が同時に検出される、など、電極式レベルスイッチ１２０Ａにて検出される水位に矛盾が生じている場合には、第１水位計に異常が生じていると判定され、第２水位計も同様に、電極式レベルスイッチ１２０Ｂにて検出される水位に矛盾が生じている場合には、第２水位計に異常が生じていると判定される。
【００４６】
また、第１水位計並びに第２水位計の異常の検出の条件におけるその他の例としては、受水槽選択にて「共用」が選択された状態で、第１水位計と第２水位計にて検出される水位に矛盾が生じている場合に、第１水位計、第２水位計の異常とする。具体的には、制御部４０は、第１水位計の異常の検出条件として、市水流入弁１３２Ａ，１３２Ｂの少なくとも一方が開かれているときに、開水位の検出の電極棒１２３まで水が達しないもしくは閉水位の検出の電極棒１２４まで水が達しない、など第１水位計によって水位の上昇が検出されないとき、または、市水流入弁１３２Ａ，１３２Ｂが共に閉じられているときにポンプ２０が運転したにも関わらず、第１水位計によって閉水位以下の水位が検出できないもしくは開水位以下の水位にならない等の水位の下降が検出されないときは、第１水位計の異常を検出するとよい。また、制御部４０は、第２水位計の異常の検出条件として、市水流入弁１３２Ａ，１３２Ｂの少なくとも一方が開かれているときに、第２水位計によって水位の上昇が検出されないとき、また、市水流入弁１３２Ａ，１３２Ｂが共に閉じられているときにポンプ２０が運転したにも関わらず、第２水位計によって水位の下降が検出されないとき、として、第２水位計の異常を検出するとよい。これらは、市水流入弁１３２Ａ，１３２Ｂの少なくとも一方が開かれて水道本管から水が受水槽１１０Ａ，１１０Ｂに流入し、受水槽１１０Ａ，１１０Ｂの両方の水位がほぼ同じタイミングで上昇することに基づく。また、市水流入弁１３２Ａ，１３２Ｂが閉じられた状態でポンプ２０が運転して給水装置１０へ水が移送されると、受水槽１１０Ａ，１１０Ｂの両方の水位がほぼ同じタイミングで下降することに基づく。第１水位計と第２水位計の値を比較して異常を検知することで、誤検知を防止することができる。
【００４７】
そして、制御部４０は、第１水位計に異常がないと判定したときには（Ｓ１３０：Ｙｅｓ）、第１水位計を制御用センサに設定する（Ｓ１４０）。一方、制御部４０は、第１水
位計に異常があると判定したときには（Ｓ１３０：Ｎｏ）、第１水位計に代えて第２水位計を制御用センサに設定する（Ｓ１５０）。そして、制御部４０は、制御用センサを設定したら、設定した制御用センサの電極棒１２１〜１２５の信号にて水位信号を判定して（Ｓ１６０）、水位判定処理を終了する。
【００４８】
いまは、受水槽選択にて「共用」が選択されており、このときには止水弁１１４が開かれて受水槽１１０Ａ，１１０Ｂは連通しているため、第１水位計と第２水位計の検出対象である受水槽１１０Ａと受水槽１１０Ｂの水位は等しい。しかしながら、例えば、電極式レベルスイッチ１２０Ａ，１２０Ｂを用いた場合には、受水槽１１０Ａ，１１０Ｂの設置現場にて各電極棒１２１〜１２５の長さが調節されて設置されたり、水面の波打ち等によって、止水弁１１４が開いていても電極式レベルスイッチ１２０Ａ，１２０Ｂのそれぞれによって検知される信号は同一とならない場合がある。このように第１水位計と第２水位計の検出値の誤差が発生するため、本実施形態では、第１水位計に異常が生じていない時には、制御部４０は、第１水位計を制御用センサに設定して、受水槽１１０Ａ，１１０Ｂの水位を判定することで、水位計によって異なる検出信号がなされる場合であっても、制御部４０による受水槽制御に不具合が生じることを防止できる。
【００４９】
また、受水槽選択にて「共用」が選択されているときに、第１水位計に異常があるときには、制御部４０は、第２水位計を制御用センサに設定して水位を判定することで、第１水位計に異常が生じて正しい水位が検出されないときにも、第２水位計の信号を用いて給水装置１０による給水を継続できる。
【００５０】
なお、本実施形態の給水装置１０によれば、第２水位計は、第１受水槽１１０Ａのメンテナンスなどのために受水槽選択で「Ｎｏ．２」が選択され受水槽１１０Ｂだけが使用される場合、または、受水槽選択で「共用」が選択され且つ第１水位計に異常が発生した場合にのみ制御用センサとして使用される。よって、第２水位計は第１水位計に比べて使用される頻度が少ない。このため、受水槽１１０Ｂの水位を検知するための水位計として、受水槽１１０Ａの水位計よりも安価な水位計を採用してもよい。例えば、電極式レベルスイッチ１２０Ａが有する電極棒の数が、電極式レベルスイッチ１２０Ｂが有する電極棒の数よりも多くてもよい。その場合、受水槽ごとの水位計の種別や検出可能な水位等を設定できるとよい。
【００５１】
制御部４０は、制御用センサが検出した水位に基づいて受水槽制御を実施する。ここで、受水槽制御のうち、市水流入弁１３２Ａ，１３２Ｂの制御としては、制御用センサに対応する市水流入弁１３２Ａ，１３２Ｂの開閉信号が制御部４０から出力されればよい。ただし、受水槽選択が「共用」である場合には、予め定めた市水流入弁１３２Ａ，１３２Ｂが制御されてもよく、時間ごとに異なる市水流入弁１３２Ａ，１３２Ｂが制御されたり、市水流入弁１３２Ａ，１３２Ｂの両方が制御されてもよい。具体的な市水流入弁１３２Ａ，１３２Ｂの開閉の一例として、制御部４０は、制御用センサが検出した水位が弁開水位より低くなったとき（例えば、電極棒１２３が水面より露出した状態）には市水流入弁１３２Ａ，１３２Ｂの少なくとも一方を開き、更に、制御部４０は、制御用センサが検出した水位が弁閉水位以上に高くなったとき（例えば、電極棒１２４の一部が水没した状態）には市水流入弁１３２Ａ，１３２Ｂを閉じる。さらに、具体的な受水槽制御の一例として、制御用センサが検出した水位が渇水水位よりも低くなったとき（例えば、電極棒１２２が水面より露出した状態）にはポンプ２０を強制停止する。また、制御部４０は、受水槽制御として、制御用センサが検出した水位が渇水水位よりも低くなったときには渇水状態として渇水警報を発報し、制御用センサが検出した水位が満水水位以上に高くなったとき（例えば、電極棒１２５の一部が水没した状態）には満水状態として満水警報を発報する。なお、渇水警報および満水警報は、運転パネル４４の制御としてブザーまたは表示部４６のＬ１、Ｌ２等への表示によって報知してもよいし、通信部４８から外部への信号の送
信によって報知してもよい。
【００５２】
なお、上記した実施形態では、図２の水位判定処理が制御部４０によって所定時間ごとに繰り返し実行されるものとしたが、こうした例には限定されない。例えば外部入力によって受水槽１１０Ａ，１１０Ｂの選択が変更された場合、もしくは、電極式レベルスイッチ１２０Ａ，１２０Ｂの少なくとも一方に異常が生じた場合、または、異常が解消した場合に、制御部４０が制御用センサを設定するものとしてもよい。そして、制御部４０は、設定された制御用センサを用いて受水槽１１０Ａ，１１０Ｂの水位を判定してもよい。
【００５３】
上記した実施形態では、受水槽選択にて「共用」が選択されているときには、第１水位計の異常の有無に基づいて設定された制御用センサを用いて受水槽１１０Ａ，１１０Ｂの水位を判定するものとした。しかし、上記した実施形態において第１水位計に異常が生じたため、又は異常が解消したために制御用センサを変更するときには、一定の条件が満たされることを確認して制御用センサを変更してもよい。図３は、制御部４０により実行されるセンサ変更判定処理の一例を示すフローチャートである。このセンサ変更判定処理は、受水槽選択にて「共用」が選択されているときに、図２の水位判定処理によって制御用センサが変更されるときに実行される。つまり、第１水位計に異常が生じたとき、または、第１水位計の異常が解消したときに実行されるとよい。
【００５４】
センサ変更判定処理が実行されると、制御部４０は、まず、制御用センサとして変更後に使用する予定の水位計（変更センサ）に異常がないか否かを判定する（Ｓ２１０）。つまり、第１水位計に異常が生じたため、図２の水位判定処理において制御用センサが第１水位計から第２水位計に変更されたときには、Ｓ２１０の処理として第２水位計に異常がないか否かが判定される。このＳ２１０の処理としては、図２の水位判定処理における第１水位計の異常の有無の判定と同様に、任意の手法が採用されればよい。なお、第１水位計の異常が解消されたことにより図２の水位判定処理において制御用センサが第２水位計から第１水位計に変更される場合、Ｓ２１０の処理では、変更センサとして第１水位計の異常の有無が判定される。ただし、いまは、第１水位計の異常が解消されたときを考えており、この場合にはＳ２１０の処理が省略されてもよい。そして、制御部４０は、変更センサに異常があるときには（Ｓ２１０：Ｎｏ）、制御用センサの変更を保留して（Ｓ２５０）、センサ変更判定処理を終了する。こうした制御により、異常が生じている水位計へ制御用センサが変更されることを防止することができ、制御部４０による制御に不具合が生じることを防止できる。
【００５５】
変更センサに異常がないときには（Ｓ２１０：Ｙｅｓ）、制御部４０は、続けて変更センサによって検出されている水位が渇水状態を示していないか否かを判定する（Ｓ２２０）。そして、制御部４０は、変更センサによって検出されている水位が渇水状態を示しているときには（Ｓ２２０：Ｎｏ）、制御用センサの変更を保留して（Ｓ２５０）、センサ変更判定処理を終了する。これは、変更後に使用する水位計によって受水槽１１０Ａ，１１０Ｂが渇水状態であると判定されると、制御部４０によってポンプ２０が緊急停止されることに基づく。また、変更後に使用する水位計に、渇水水位を検出する電極棒１２２が落下するなど渇水以上の水位検知ができない不具合が発生している場合は、渇水状態となる。こうした制御により、制御に用いる水位計の変更後にポンプ２０が強制停止されてしまうことを防止できる。
【００５６】
変更センサによって検出されている水位が渇水状態を示していないときには（Ｓ２２０：Ｙｅｓ）、制御部４０は、止水弁１１４が開いていると判断されるか否かを判定する（Ｓ２３０）。ここで、Ｓ２３０の処理は、いまは受水槽選択にて「共用」が選択されているときを考えているが、止水弁１１４の不具合、または、止水弁１１４の開け忘れ等によって、止水弁１１４が閉じていないかを判定するものである。一例として、制御部４０は
、市水流入弁１３２Ａ，１３２Ｂの少なくとも一方が開かれているときに、変更センサによって水位の上昇が検出されないときに、止水弁１１４が閉じていると判定する。また、制御部４０は、市水流入弁１３２Ａ，１３２Ｂが共に閉じられているときにポンプ２０が運転したにも関わらず、変更センサによって水位の下降が検出されないときに、止水弁１１４が閉じていると判定する。これらは、通常、止水弁１１４が開いていれば、市水流入弁１３２Ａ，１３２Ｂの少なくとも一方が開かれて水道本管から水が受水槽１１０Ａ，１１０Ｂに流入すると、受水槽１１０Ａ，１１０Ｂの両方の水位がほぼ同じタイミングで上昇することに基づく。また、止水弁１１４が開いていれば、市水流入弁１３２Ａ，１３２Ｂが閉じられた状態でポンプ２０が運転して給水装置１０へ水が移送されると、受水槽１１０Ａ，１１０Ｂの両方の水位がほぼ同じタイミングで下降することに基づく。そして、制御部４０は、止水弁１１４が開いていないと判断したときには（Ｓ２３０：Ｎｏ）、制御用センサの変更を保留して（Ｓ２５０）、センサ変更判定処理を終了する。こうした制御により、受水槽選択にて「共用」が選択されているにもかかわらず止水弁１１４が閉じられている場合に、制御用センサが変更されることを防止することができ、制御部４０による受水槽制御に不具合が生じることを防止できる。
【００５７】
そして、制御部４０は、変更センサに異常がなく（Ｓ２１０：Ｙｅｓ）、変更センサによって検出されている水位が渇水状態を示しておらず（Ｓ２２０：Ｙｅｓ）、止水弁１１４が開いているときには（Ｓ２３０：Ｙｅｓ）、制御用センサを変更して（Ｓ２４０）、センサ変更判定処理を終了する。
【００５８】
つまり、異常により変更された第１水位計を受水槽制御に用いる水位計として復帰させるための復帰条件には、第１受水槽の水位が渇水状態の水位より高いこと（Ｓ２２０：Ｙｅｓ）が含まれ、異常により変更された第２水位計を受水槽制御に用いる水位計として復帰させるための復帰条件には、前記第２受水槽の水位が渇水状態の水位より高いこと（Ｓ２２０：Ｙｅｓ）が含まれる。これにより、異常により変更された水位計を再び受水槽制御に用いる水位計として復帰させたときにポンプ２０が渇水状態で停止することを防止できる。
【００５９】
なお、Ｓ２５０において制御用センサの変更を保留したときには、ブザー、表示部４６への表示、又は、通信部４８から外部への信号の送信によって、保留したことを報知するとよい。また、制御用センサの変更を保留したときには、所定時間後（例えば数分後など）に再度センサ変更判定処理を実行するものとしてもよい。
【００６０】
また、制御部４０は、受水槽選択にて「共用」を選択しているときには、受水槽１１０Ａの水位と受水槽１１０Ｂとの水位とに所定量以上の差があると判断したときに、止水弁１１４が閉じられていると判定してもよい。一例として、制御部４０は、電極式レベルスイッチ１２０Ａによる検出と電極式レベルスイッチ１２０Ｂによる検出とで、複数の電極棒のうちの２本分以上の差が生じているときに、止水弁１１４が閉じられていると判定してもよい。そして、制御部４０は、受水槽選択にて「共用」が選択されているにもかかわらず止水弁１１４が閉じられていると判定したときには、ブザー、表示部４６への表示、又は、通信部４８から外部への信号の送信によって、警報を発報し報知するとよい。
【００６１】
決定した制御用センサを用いた受水槽１１０Ａ，１１０Ｂ内の水位とポンプ２０の動作について説明する。まず、給水装置１０を設置したとき等で、受水槽選択で選択された受水槽内に水がない場合の水位は制御用センサの電極棒１２２以下の水位であり、渇水状態となってポンプ２０は停止の状態である。このような渇水状態の場合、電極棒１２３以下の水位でもあるので、市水流入弁１３２Ａ，１３２Ｂの少なくとも一方を開放して受水槽１１０Ａ，１１０Ｂ内に水道本管から水を流入し、水位を上昇させる。ここで、渇水状態は渇水水位以下で検出し、その後、渇水水位よりも高く満水水位よりも低い任意の水位以
上に水位が上昇したことで解除されるとよい。ここでは、渇水状態を解除する水位として電極棒１２３を用い、電極棒１２３の少なくとも一部が水に没すると渇水状態を解除してポンプ２０の強制停止を解除する。更に水位が上昇して、制御用センサの電極棒１２４の少なくとも一部が水に没し、閉水位以上に水位が上昇すると、制御部４０は、市水流入弁１３２Ａ，１３２Ｂの両方を閉止状態とし、受水槽１１０Ａ，１１０Ｂ内への水の流入を止める。渇水状態が解除されている状態で、ポンプ２０の吐出し圧が低下すると、ポンプ２０が始動して、受水槽１１０Ａ，１１０Ｂ内の水が供給先へ搬送される。ポンプ２０の始動によって、制御用センサの電極棒１２３以下の水位まで下降すると、制御部４０は、市水流入弁１３２Ａ，１３２Ｂの少なくとも一方を開放し、受水槽１１０Ａ，１１０Ｂ内に水が流入する。
【００６２】
上記した実施形態では、電極式レベルスイッチ１２０Ａ，１２０Ｂのそれぞれからの信号が制御部４０に入力され、制御部４０は、電極式レベルスイッチ１２０Ａ，１２０Ｂの一方を制御用センサに設定して受水槽制御を行うものとした。しかし、こうした例に限定されず、図４に示すように、電極式レベルスイッチ１２０Ａ，１２０Ｂが切替スイッチ１５０を介して制御部４０に接続され、切替スイッチ１５０によって選択された一方だけの信号が制御部４０に入力されるものとしてもよい。具体的には、制御部４０は、選択した制御用センサのみがＩ／Ｏ部４７に接続されるように、切替スイッチ１５０へ信号を出力する。一例として、切替スイッチ１５０は、Ｉ／Ｏ部４７に接続され、制御部４０からの信号に応じて、Ｉ／Ｏ部４７に接続される水位計を切り替える。また、市水流入弁１３２Ａ，１３２Ｂについても、切替スイッチ１６０を介して制御部４０に接続され、切替スイッチ１６０によって選択された一方に対して制御部４０から開閉信号が送信されるものとしてもよい。一例として、切替スイッチ１６０は、Ｉ／Ｏ部４７に接続され、制御部４０からの指令に応じて、Ｉ／Ｏ部４７に接続される市水流入弁を切り替える。なお、切替スイッチ１５０，１６０の切替は、互いに連動するようになっていてもよい。こうした構成では、電極式レベルスイッチ１２０Ａ，１２０Ｂが接続されるＩ／Ｏ部の入力ポート、及び、市水流入弁１３２Ａ，１３２Ｂが接続されるＩ／Ｏ部の出力ポートが共用されるため、制御部４０のポートの数が少ない場合に特に有効である。
【００６３】
上述した実施形態では、受水槽選択にて「共用」を選択しているときには、常に受水槽１１０Ａの水位および受水槽１１０Ｂの水位のどちらか一方を選択して受水槽制御を行った。しかしながら、第１水位計と第２水位計の両方に水位計の異常が発生していない場合には、第１水位計と第２水位計の両方の検出値を用いて受水槽制御を行ってもよい。具体的には、第１水位計と第２水位計の両方の検出値を平均することで図２における制御用センサの値とするとよい。この場合も、どちらか一方の水位計に水位計の異常が発生したら、他方の水位計の信号のみで受水槽制御を行うとよい。また、第１水位計と第２水位計には、アナログ式の水位計（例えば投げ込み式水位センサ）を用いてもよい。
【００６４】
止水弁１１４が設けられた連通管１１２によって連通する受水槽１１０Ａおよび受水槽１１０Ｂに貯められた水をポンプ２０にて加圧して供給する給水装置１０であって、受水槽１１０Ａの水位を検知する第１水位計の水位信号および受水槽１１０Ｂの水位を検知する第２水位計の水位信号の少なくとも一方の水位信号に基づいて受水槽制御を行う制御部４０を備え、制御部４０は、第１水位計または第２水位計のどちらか一方に水位計の異常が発生した場合に、他方の水位計の水位信号に基づいて受水槽制御を行う。これにより、一方の水位計に水位計の異常が生じたときにも他方の水位計の水位信号に基づいて給水を継続することで、断水を回避することができる。例えば、経年劣化によって、制御用センサの電極棒１２２の受電部が錆びたり又は水槽内に落下したりすると、制御部４０は、渇水状態でポンプ２０を強制停止し断水する。しかしながら、実際の受水槽１１０Ａ，１１０Ｂ内の水位が正常にポンプを起動できる水位であれば、制御部４０は、渇水状態とそれ以上の水位を同時に検出するので、水位計の異常を判断できる。更に、異常となった制御
用センサを切り替えることで、給水を継続することができる。
【００６５】
なお、上述した本実施形態では、水槽選択ボタン４４１にて受水槽選択として「Ｎｏ．１」、「Ｎｏ．２」または「共用」の何れかを選択したが、これに限らず、水槽選択ボタン４４１にて「Ｎｏ．１」、「Ｎｏ．２」を選択し、市水流入弁１３２Ａ、１３２Ｂのどちらを用いるかを選択可能な流入弁選択ボタン（不図示）を設けてもよい。流入弁選択ボタンでは、市水流入弁１３２Ａ、１３２Ｂどちらか一方のみを用いる「単独」と、市水流入弁１３２Ａ、１３２Ｂを交互に開閉する「交互」と、市水流入弁１３２Ａ、１３２Ｂの両方を開閉する「並列」と選択可能とし、「交互」もしくは「並列」を選択されている場合に受水槽選択は「共用」となる。また、受水槽選択に依らず、もしくは、受水槽選択を行わない場合でも、制御部４０は、第１水位計または第２水位計のどちらか一方に水位計の異常が発生した場合に、他方の水位計の水位信号に基づいて受水槽制御を行うとよい。この場合、第１水位計または第２水位計のどちらか一方に水位計の異常が発生した場合に、他方の水位計の水位信号に基づいて受水槽制御を行うか否かが選択できるとよい。受水槽選択を行わない場合、仕切弁１１８Ｂが解放された状態にて受水槽共用モードとする。
【００６６】
なお、異常を検出するまで受水槽制御に用いる水位計を常用水位計、当該常用水位計における異常を検出した後に受水槽制御に用いる水位計を予備用水位計と定義すると、上述した実施形態において、常用水位計は第１水位計であり、予備用水位計は第２水位計である。よって、制御部４０は、常用水位計である第１水位計で異常を検出するまでは常用水位計の水位信号に基づいて受水槽制御を行い、常用水位計に異常を検出した後は、予備用水位計である第２水位計の水位信号に基づいて受水槽制御を行う。
【００６７】
上述したように、給水装置１０は、止水弁１１４が設けられた連通管１１２によって連通する複数の受水槽１１０Ａ，１１０Ｂが接続されている。そして、給水装置１０は、受水槽１１０Ａと受水槽１１０Ｂとが連通された状態で給水を行う受水槽共用モードを有する。ここで、当該受水槽共用モードのとき、受水槽１１０Ａ、１１０Ｂは連通しているため、受水槽１１０Ａ、１１０Ｂの何れも市水流入弁１３２Ａが設けられた流入管並びに市水流入弁１３２Ｂが設けられた流入管の下流となる。
【００６８】
そして、一例として図２に示すように、制御部４０は、受水槽共用モード時（ステップＳ１１０：Ｙｅｓ）に、制御用センサである第１水位計で異常（ステップＳ１３０：Ｎｏ）を検出したら、当該異常を検出した第１水位計と異なる変更センサ（本実施形態では第２水位計）を用いて受水槽制御を行う。つまり、受水槽制御を行う制御用センサを、異常が検出された第１水位計から第２水位計に切り替える。これにより、制御用センサとした水位計に異常が生じたら、他の水位計の水位信号に基づいて給水を継続できる。ここで、ステップＳ１３０における異常とは、第１水位計による水位検出が下記（１）〜（３）に記す何れかの状態である。（１）ポンプ２０を停止する所定の水位以下である渇水状態。これにより、制御用センサの渇水検知による断水を減らすことができる。（２）検出水位にて、渇水状態（例えば、電極棒１２２が水面より露出した状態）と満水状態（例えば、電極棒１２２よりも高い水位を検出する電極棒１２５の一部が水没した状態）が同時に検出される等、検出される水位において矛盾が生じている状態。これにより、給水装置１０は、電極式レベルスイッチの異常を正確に検出できるとともに水位計の信号線の配線ミス等の検知ができる。（３）水位変化の矛盾状態。一例として、ポンプ２０の運転中に受水槽１１０Ａ、１１０Ｂの水位の下降が検出されない状態であって、制御部４０は、ポンプ２０の運転前の水位を記憶部４１に記憶し、ポンプ２０の運転中に、該記憶したポンプ２０の運転前の水位以上の水位が所定時間以上検出される状態である。このように、ポンプ２０の運転状態と水位変化の矛盾状態である水位計から他の水位計に切り替えることで、正常な受水槽制御を継続できる。（３）の状態は、特に、市水流入弁１３２Ａ，１３２Ｂが共に閉じられているとき、つまり電極棒１２４の水面下である水位が検出された状態で
ポンプ２０が運転したにも関わらず、所定の時間が経過しても閉水位以下の水位（電極棒１２４が水面より露出）が検出できない等の状態が挙げられる。このように、受水槽制御に用いる水位計を、給水設備の状態（ポンプ２０の運転状態や市水流入弁１３２Ａ，１３２Ｂの開閉状態など）と矛盾した水位を検出する水位計から他の水位計に切り替えることで、正常な受水槽制御を継続できる。また、この場合、止水弁１１４が閉じられている等で連通管１１２が閉塞している場合が想定される。（３）により、連通管１１２が閉塞していて使用できない受水槽の水位計が、受水槽制御に用いられることを防ぐことができる。
【００６９】
更に、制御部４０は、常用水位計である第１水位計が（１）〜（３）に記す状態の何れかであっても、予備用水位計である第２水位計が（１）〜（３）の何れかの状態であれば、図３のステップＳ２５０に記すように制御用センサを常用水位計のまま保留する。これにより、異常が生じている水位計へ制御用センサが変更されることを防止し、更に、受水槽制御を行う水位計の変更で発生するインチングを防ぐことができ、給水装置１０は安定した受水槽制御を実行できる。
【００７０】
また、制御用センサを常用水位計から予備用水位計に切り替えた後に、制御部４０は、第１水位計（常用水位計）の（１）〜（３）の状態が解消したら、図３のステップＳ２４０に記すように第１水位計を制御用センサとする。なお、上述した（１）〜（３）は、制御用センサを切り替える異常の一例であって、これに限らない。また、制御部４０は、制御用センサの切り替え回数をカウントし、該カウントが所定の時間間隔内で所定の回数を超えたら切り替えを中止してもよい。異常による水位計切り替えの回数を制限することで、水位が不安定な現場等における水位計の切り替えのインチングを防ぐことができ、安定した受水槽制御を実施できる。
【００７１】
（変形例）
上記した実施形態における給水設備では、給水装置１０は、吸込側に２つの受水槽１１０Ａ，１１０Ｂが接続されるものとした。しかし、給水装置１０は、吸込側に３つ以上の受水槽が接続されてもよいし、単一の受水槽が接続されてもよい。
【００７２】
図５は、変形例に係る給水設備の一例を示す図である。この変形例の給水設備３００は、上述した図１Ａの実施形態と同一の構成である給水装置１０を備え、給水装置１０の上流側に単一の受水槽２１０が接続されている。受水槽２１０には、水道本管に連通する導入管２０２より分岐した流入管２３０によって、水供給源である水道本管（図示せず）からの水が貯められる。流入管２３０には、市水流入弁２３２が設けられている。市水流入弁２３２は流入管２３０の流路を遮蔽可能なバルブであって、例えば、電磁弁で構成されており、給水装置１０のＩ／Ｏ部４７からの出力信号によって制御される。ただし、市水流入弁２３２の開閉は制御部４０を介さずに行われてもよい。
【００７３】
受水槽２１０には、受水槽２１０内の水位を検知する水位計として複数の水位計が設けられている。具体的には、それぞれに受水槽２１０の水位を検知する電極式レベルスイッチ１２０Ａ（第１水位計），電極式レベルスイッチ１２０Ｂ（第２水位計）の２つの水位計が設けられている。電極式レベルスイッチ１２０Ａ，１２０Ｂのそれぞれの信号は、制御部４０に入力される。これらの電極式レベルスイッチ１２０Ａ，１２０Ｂは、実施形態の電極式レベルスイッチ１２０Ａ，１２０Ｂと同一の機能を有するものを使用することができ、一例として、それぞれが５つの電極棒１２１〜１２５を有する。なお、電極式レベルスイッチ１２０Ａ，１２０Ｂは、３本、４本、または６本以上の電極棒を有してもよく、互いに異なる数の電極棒を有してもよい。また、受水槽２１０には、第１水位計または第２水位計として、電極式レベルスイッチ１２０Ａ，１２０Ｂに代えて、または加えて、フロートスイッチ（不図示）や投げ込み式の水位計等が設けられてもよい。
【００７４】
給水装置１０のＩ／Ｏ部４７は、電極式レベルスイッチ１２０Ａ，１２０Ｂによる検出信号を入力する。電極式レベルスイッチ１２０Ａ，１２０Ｂのそれぞれは、受水槽１１０Ａ，１１０Ｂ内に配置される複数の電極棒１２１〜１２５を備えている。複数の電極棒１２１〜１２５は、水位検知器であって、コモン電極棒１２１、及び、低い水位を検出できる順に、渇水の検出のための電極棒１２２、市水流入弁２３２を開放する開水位の検出のための電極棒１２３、市水流入弁２３２を閉止する閉水位の検出のための電極棒１２４、満水の検出のための電極棒１２５となっている。また、市水流入弁２３２を開放するための水位は、市水流入弁２３２を閉止するための水位よりも低い水位とするとよい。
【００７５】
なお、図１Ｂでは、水槽選択ボタン４４１にて受水槽選択として「Ｎｏ．１」、「Ｎｏ．２」または「共用」の何れかを選択したが、表示部４６には、水槽選択ボタン４４１に代えて又は加えて、不図示の水位計選択ボタンを設けてもよい。水位計選択ボタンを押下することで、後述する図６のステップＳ３１０における水位計選択を行うとよい。
【００７６】
また、給水設備３００の給水装置１０は、図４に示す給水装置１０と同様に、複数の水位計である電極式レベルスイッチ１２０Ａ，１２０Ｂが切替スイッチ１５０を介して制御部４０に接続され、切替スイッチ１５０によって選択された一方だけの信号が制御部４０に入力されるものとしてもよい。
【００７７】
こうした変形例の給水装置１０は、一例として、第１水位計と第２水位計とによる水位信号のうち、一方のみの信号に基づいて受水槽制御を実行する。図６に、変形例の給水装置１０の制御部４０における水位計判定処理を示す。また、一例として、常用水位計は第１水位計であり、予備用水位計は第２水位計である。
【００７８】
水位計判定処理が実行されると、制御部４０は、まず、現在選択されている水位計を判定する（Ｓ３１０）。一例として、例えば、表示部４６の水位計選択ボタンの押下等の外部入力によって選択された水位計が記憶部４１の所定領域に記憶されるものとし、記憶部４１の所定領域を参照することによりＳ３１０の判定が行われるものとすればよい。なお、図６に示す例では、外部入力によって、「第１水位計」と「第２水位計」とのうちの一方、または、どちらの水位計も選択されていない「選択無し」の何れかが選択できるものとしている。
【００７９】
「第１水位計」または「第２水位計」が選択されているときには（Ｓ３１０：第１or第２水位計）、制御部４０は、選択されている水位計を制御用センサに設定する（Ｓ３２０）。つまり、制御部４０は、「第１水位計」が選択されている場合は第１水位計（電極式レベルスイッチ１２０Ａおよび／またはフロートスイッチ１４０Ａ）を制御用センサに設定し、「第２水位計」が選択されている場合は第２水位計（電極式レベルスイッチ１２０Ｂおよび／またはフロートスイッチ１４０Ｂ）を制御用センサに設定する。制御用センサにて検出する水位を用いて受水槽制御を実行する。制御部４０は、制御用センサを設定したときには、記憶部４１に設定した制御用センサを記憶する。また、制御部４０は、記憶部４１に記憶された制御用センサを、操作者による設定部４５の操作などに応じて表示部４６に表示するものとしてもよい。さらに、制御部４０は、外部端末８０からの要求信号等に応じて現在設定されている制御用センサを通信により外部端末８０へ知らせるものとしてもよい。そして、制御部４０は、設定した制御用センサの検出値を用いて受水槽２１０の水位を判定して（Ｓ３６０）、水位計判定処理を終了する。
【００８０】
一方、外部入力によって水位計が選択されていない「選択無し」であるときには（Ｓ３１０：選択無し）、制御部４０は、水槽選択ボタン４４１にて受水槽選択として「共用」が選択されたときと同様に、続けて常用水位計（第１水位計）で異常がないか否かを判定
する（Ｓ３３０）。
【００８１】
ここで、第１水位計および第２水位計の異常の検出条件の一例として、市水流入弁２３２を開く水位（開水位）であることが検出されると同時に市水流入弁２３２を閉じる水位（閉水位）であることが検出される、又は、渇水状態と満水状態などの渇水水位以上の水位状態とが同時に検出される、など、電極式レベルスイッチ１２０Ａにて検出される水位に矛盾が生じている場合には、第１水位計に異常が生じていると判定される。第２水位計も同様に、電極式レベルスイッチ１２０Ｂにて検出される水位に矛盾が生じている場合には、第２水位計に異常が生じていると判定される。
【００８２】
また、第１水位計並びに第２水位計の異常の検出の条件におけるその他の例としては、第１水位計または第２水位計にて検出される水位に矛盾が生じている場合に、第１水位計、第２水位計の異常とする。具体的には、制御部４０は、第１水位計、第２水位計の異常の検出条件として、市水流入弁２３２が開かれているときに、開水位の検出の電極棒１２３まで水が達しないもしくは閉水位の検出の電極棒１２４まで水が達しない、など第１水位計、第２水位計によって水位の上昇が検出されないときに、第１水位計、第２水位計の異常を検出するとよい。または、市水流入弁２３２が閉じられているときにポンプ２０が運転したにも関わらず、第１水位計、第２水位計によって閉水位以下の水位が検出できないもしくは開水位以下の水位にならない等の水位の下降が検出されないときに、第１水位計、第２水位計の異常を検出するとよい。第１水位計と第２水位計の値を比較して異常を検知することで、誤検知を防止することができる。
【００８３】
さらに、受水槽２１０の水位が、ポンプ２０を停止する水位以下である渇水状態であるときに水位計の異常としてもよい。これにより、制御用センサの渇水検知による断水を減らすことができる。ここで、制御部４０は、第１水位計と第２水位計とのうち１つのみが渇水状態を検出しているときに、渇水状態を検出している水位計で異常を検出していると判断してもよい。こうすれば、例えば渇水水位を検出する電極棒１２２が落下しているときに、水位計に異常が生じていると判定されることなく渇水状態が検出されてポンプ２０が緊急停止されてしまうことを抑制できる。
【００８４】
そして、制御部４０は、常用水位計である第１水位計に異常がないと判定したときには（Ｓ３３０：Ｙｅｓ）、常用水位計を制御用
センサに設定する（Ｓ３４０）。一方、制御部４０は、制御用センサに設定した常用水位計に異常があると判定したときには（Ｓ３３０：Ｎｏ）、常用水位計に代えて予備用水位計を制御用センサに設定する（Ｓ３５０）。そして、制御部４０は、制御用センサを設定したら、設定した制御用センサの電極棒１２１〜１２５の信号にて受水槽２１０の水位を判定して（Ｓ３６０）、水位判定処理を終了する。つまり、給水装置１０は、異常を検出した常用水位計と異なる水位計である予備用水位計（変更センサ）を用いて受水槽制御を行う。これにより、制御用センサとした水位計に異常が生じたときにも他の水位計の水位信号に基づいて給水を継続できる。
【００８５】
次に、変形例の給水装置１０におけるセンサ変更判定処理について説明する。図７は変形例の制御部４０により実行されるセンサ変更判定処理の一例を示すフローチャートである。なお、このセンサ変更判定処理は、ステップＳ２０５、ステップＳ２０６、並びに、ステップＳ２３０Ａの処理を除いて、実施形態における図３のセンサ変更判定処理と同一である。変形例のセンサ変更判定処理は、図６の水位計判定処理において、水位計が「選択なし」であり、制御用センサが変更されるときに実行される。つまり、常用水位計（第１水位計）で異常を検出したとき、または、常用水位計で異常が解消したときに実行される。ステップＳ２０５、ステップＳ２０６の動作は、図３のフローチャートにおいても適用できる。
【００８６】
センサ変更判定処理が実行されると、制御部４０は、まず、Ｓ２０５にて、制御用センサが変更された回数を変更回数Ｎとしてカウントする。そして、変更回数Ｎが所定時間間隔内で所定のしきい値Ｎｒｅｆを超えたら（Ｓ２０６：Ｎｏ）、制御用センサの変更を保留して（Ｓ２５０）、センサ変更判定処理を終了する。これにより、繰り返し制御用センサの切り替えが行われて給水が不安定となることを防止できる。つまり、受水槽制御を行う水位計の変更の過度なインチングを防ぐことができ、給水装置１０は安定した受水槽制御を実行できる。なお、変更回数Ｎは所定の時間間隔にてクリアされるとよい。変更回数Ｎが所定のしきい値以下であれば（Ｓ２０６：Ｙｅｓ）、制御部４０は、次に、制御用センサとして変更後に使用する予定の水位計（変更センサ）に異常がないか否かを判定する（Ｓ２１０）。つまり、常用水位計で異常を検出したため、図６の水位計判定処理において制御用センサが常用水位計から予備用水位計に変更されるとき（Ｓ３３０：Ｎｏ）、Ｓ２１０の処理として予備用水位計に異常がないか否かが判定される。このＳ２１０の処理としては、図６の水位判定処理における常用水位計の異常の有無の判定と同様に、任意の手法が採用されればよい。なお、常用水位計の異常が解消されたことにより図６の水位判定処理において制御用センサが予備用水位計から常用水位計に変更される場合、Ｓ２１０の処理では、変更センサとして常用水位計の異常の有無が判定される。ただし、いまは、常用水位計の異常が解消されたときを考えており、この場合にはＳ２１０の処理が省略されてもよい。そして、制御部４０は、変更センサに何らかの異常があるときには（Ｓ２１０：Ｎｏ）、制御用センサの変更を保留して（Ｓ２５０）、センサ変更判定処理を終了する。こうした制御により、異常が生じている水位計へ制御用センサが変更されることを防止することができ、制御部４０による制御に不具合が生じることを防止できる。また、受水槽制御を行う水位計の変更を繰り返すといった水位計の変更で発生するインチングを防ぐことができ、給水装置は安定した受水槽制御を実行できる。
【００８７】
変更センサに異常がないときには（Ｓ２１０：Ｙｅｓ）、制御部４０は、続けて変更センサによって検出されている水位が渇水状態を示していないか否かを判定する（Ｓ２２０）。そして、制御部４０は、変更センサによって検出されている水位が渇水状態を示しているときには（Ｓ２２０：Ｎｏ）、制御用センサの変更を保留して（Ｓ２５０）、センサ変更判定処理を終了する。これは、変更後に使用する水位計によって受水槽２１０が渇水状態であると判定されると、制御部４０によってポンプ２０が緊急停止されることに基づく。つまり、給水装置１０に接続した全ての水位計における水位が渇水状態のときには水位計の変更を回避し、水位計変更のインチングを防止できる。また、変更後に使用する水位計に、渇水水位を検出する電極棒１２２が落下するなど渇水以上の水位検知ができない不具合が発生している場合は、渇水状態となる。こうした制御により、制御に用いる水位計の変更後にポンプ２０が強制停止されてしまうことを防止できる。
【００８８】
変更センサによって検出されている水位が渇水状態を示していないときには（Ｓ２２０：Ｙｅｓ）、制御部４０は、変更センサで水位の変化が検出されているか否かを判定する（Ｓ２３０Ａ）。つまり、水位変化の矛盾状態か否か、を判断する。市水流入弁２３２が開かれているときは、受水槽２１０の水位は上昇し、ポンプの運転によって、受水槽２１０の水位は下降する。一例として、水位変化の矛盾状態とは、市水流入弁２３２が開かれてから所定時間経過したときに、開水位を検出するための電極棒１２３まで水が達しない、又は閉水位を検出するための電極棒１２４まで水が達しないなどの状態を示す。つまり、変更センサでの検出水位が市水流入弁２３２の「開」に応じておらず水位が上昇していないため、水位変化の矛盾状態である（Ｓ２３０Ａ：Ｎｏ）と判定されるとよい。また、水位変化の矛盾状態の他の例としては、市水流入弁２３２が閉じられているとき、つまり、市水流入弁２３２が閉となる水位以上でポンプ２０が始動したにもかかわらず、閉水位を検出するための電極棒１２４よりも水位が下がらない、又は開水位を検出するための電極棒１２３よりも水位が下がらないなどの状態を示す。つまり、制御部４０は、ポンプ２
０の起動前の変更センサによる検出水位を記憶部４１に記憶し、ポンプ２０が所定時間以上運転したにも関わらず、変更センサによって、該記憶部４１に記憶されたポンプ２０の運転前の水位よりも低い水位が検出されないと判断したときには、水位変化の矛盾状態である（Ｓ２３０Ａ：Ｎｏ）として、受水槽制御を行う水位計の変更を保留して（Ｓ２５０）、センサ変更判定処理を終了する。これにより、給水装置は電極式レベルスイッチの異常を正確に検出できる。こうした制御により、変更センサでの検出水位が異常であると考えられる場合に、制御用センサが変更されることを防止することができ、制御部４０による受水槽制御に不具合が生じることを防止できる。
【００８９】
なお、Ｓ２１０における水位計の異常の判定、並びに、Ｓ２３０Ａにおける変更センサでの検出水位が市水流入弁２３２の開閉に応じているか否かの判定は、Ｓ２１０、Ｓ２３０Ａのタイミングにて実施されるものに限らず、制御部４０の通電中、常時または任意のタイミングで実行された判定結果が記憶部４１に記憶され、該記憶された判定結果をＳ２１０、Ｓ２３０Ａのタイミングで参照してもよい。また、先述した図３のＳ２３０も同様に、制御部４０は、任意のタイミングにて『仕切弁閉』を検出し、検出された『仕切弁閉』を記憶部４１に記憶し、図３のステップＳ２３０で、当該記憶された『仕切弁閉』を参照してもよい。
【００９０】
そして、制御部４０は、変更センサに異常がなく（Ｓ２１０：Ｙｅｓ）、変更センサによって検出されている水位が渇水状態を示しておらず（Ｓ２２０：Ｙｅｓ）、変更センサでの検出水位が市水流入弁２３２の開閉に応じているときには（Ｓ２３０Ａ：Ｙｅｓ）、制御用センサを変更センサに変更して（Ｓ２４０）、センサ変更判定処理を終了する。
【００９１】
変形例の給水装置１０によれば、受水槽２１０に貯められた水をポンプ２０にて加圧して供給する給水装置であって、受水槽２１０の水位を検知する第１水位計および第２水位計の少なくとも一方の水位信号に基づいて受水槽制御を行う制御部４０を備え、制御部４０は、第１水位計または第２水位計のどちらか一方が異常を検出した場合に、他方の水位計の水位信号に基づいて受水槽制御を行う。つまり、制御部４０は、複数の水位計のうちの少なくともひとつの水位計を、受水槽制御に用いる水位を検出するための制御用センサとして設定し、制御用センサで所定の異常を検出したら、当該異常を検出した水位計と異なる水位計である変更センサを用いて受水槽制御を行う。こうした変形例の給水装置１０においても、一方の水位計に水位計の異常が生じたときにも他方の水位計の水位信号に基づいて受水槽制御を行うことで、給水を継続し断水を回避することができる。
【００９２】
このように、上述した全ての実施形態および変形例において、受水槽２１０または受水槽１１０Ａ，１１０Ｂ、に貯められた液をポンプ２０にて加圧して給水先に供給する給水装置１０であって、給水装置１０は、受水槽２１０または受水槽１１０Ａ，１１０Ｂの水位を検出する複数の水位計のうち、少なくともひとつの水位計の水位信号に基づいた受水槽制御を行う制御部４０を備え、制御部４０は、複数の水位計のうち少なくともひとつの水位計を、受水槽制御に用いる水位を検出するための制御用センサとして設定し、制御用センサで所定の異常を検出したら、当該異常を検出した水位計とは異なる水位計である変更センサを用いて受水槽制御を行う。これにより、制御用センサとした水位計に異常が生じたときにも他の水位計の水位信号に基づいて給水を継続できる。なお、異常により変更された受水槽制御を行う水位計は、運転パネル４４に設けられた警報解除ボタンの押下等の外部入力によって、受水槽制御を行う制御用センサに復帰してもよい。
【００９３】
ここで、受水槽制御を行う水位計を変更センサとする異常の例としては、該当する水位計による水位検出が下記（１）〜（３）に記す何れかの状態である。（１）ポンプ２０を停止する所定の水位以下である渇水状態、（２）電極棒１２１〜１２５にて、渇水状態（電極棒１２２が水面より露出した状態）と満水状態（電極棒１２５の一部が水没した状態
）が同時に検出される等、検出される水位において矛盾が生じている状態、（３）水位変化の矛盾状態である。具体的に、『水位変化の矛盾状態』の例としては、制御部４０は、市水流入弁１３２Ａ，１３２Ｂの少なくとも一方が開かれているときに、変更センサによって水位の上昇が検出されないとき、『水位変化の矛盾状態』であり、また、止水弁１１４が閉じていると判定する。つまり、制御部４０は、市水流入弁１３２Ａ，１３２Ｂの少なくとも一方が開かれる直前の水位を記憶部４１に記憶し、市水流入弁１３２Ａ，１３２Ｂの少なくとも一方が開かれた後、ポンプ２０が停止中にも関わらず、当該記憶した水位以下の水位が所定時間検出されたら『水位変化の矛盾状態』であると、判定する。また、制御部４０は、市水流入弁１３２Ａ，１３２Ｂが共に閉じられているときにポンプ２０が運転したにも関わらず、変更センサによって水位の下降が検出されないとき、『水位変化の矛盾状態』であり、受水槽二槽式であれば、止水弁１１４が閉じていると判定する。受水槽二槽式では、通常、止水弁１１４が開いていれば、市水流入弁１３２Ａ，１３２Ｂの少なくとも一方が開かれて水道本管から水が受水槽１１０Ａ，１１０Ｂに流入すると、受水槽１１０Ａ，１１０Ｂの両方の水位がほぼ同じタイミングで上昇することに基づく。また、止水弁１１４が開いていれば、市水流入弁１３２Ａ，１３２Ｂが閉じられた状態でポンプ２０が運転して給水装置１０へ水が移送されると、受水槽１１０Ａ，１１０Ｂの両方の水位がほぼ同じタイミングで下降することに基づく。
市水流入弁１３２Ａ，１３２Ｂ、または、市水流入弁２３２が共に閉じられているとき、つまり電極棒１２４が水面から露出した水位が検出された状態でポンプ２０が運転したにも関わらず、閉水位以下の水位（電極棒１２４の一部が水面下）が検出できないもしくは開水位以下の水位（電極棒１２３が水面から露出）にならない等の水位の下降が検出されない等である。つまり、ポンプ２０の運転中に水位の下降が検出されず、ポンプ２０の運転前の水位以上の水位が所定時間以上検出される状態である。
【００９４】
また、制御部４０は、制御用センサが異常（例えば、（１）から（３）に示す異常）でも、変更センサが異常（例えば、（１）から（３）に示す異常）であれば、前記制御用センサの変更を保留する。そして、制御用センサが異常によって変更された後に、異常にて変更された水位計を、制御用センサとして復帰させるための復帰条件には、当該復帰させる水位計の検出水位が渇水状態の水位より高いことが含まれる。
【００９５】
なお、給水装置１０は、受水槽２１０の水位を検出する３つ以上の水位計を備えてもよい。その場合も、制御部複数の水位計のうち、少なくともひとつの水位信号に基づいて受水槽制御を行う。そして、制御部４０は、複数の水位計のうち、何れかひとつにて異常を検出した場合に、他の水位計の水位信号に基づいて受水槽制御を行う。例えば、制御部４０は、複数の水位計のうち、いずれかひとつで受水槽２１０の渇水状態を検出した場合に、他の水位計の水位信号に基づいて受水槽制御を行う。
【００９６】
ここで、制御部４０は、複数の水位計のうちの何れかひとつを常用水位計とし、他の水位計を予備用水位計とし、常用水位計で何らかの異常を検出するまでは、常用水位計の水位信号に基づいて受水槽制御を行う。そして、常用水位計に異常を検出した後は、予備用水位計からの水位信号に基づいて前記受水槽制御を行うとよい。具体的には、第１水位計、第２水位計、および第３水位計の合計３つの水位計が受水槽２１０に設けられた場合、常用水位計を第１水位計、第１予備用水位計を第２水位計、第２予備水位計を第３水位計とし、当該第１水位計にて異常を検出したら、当該第２水位計の水位信号に基づいて前記受水槽制御を行い、更に、当該第１水位計、及び／又は、当該第２水位計にて異常を検出したら、当該第３水位計の水位信号に基づいて前記受水槽制御を行う。連通管１１２によって連通する受水槽１１０Ａおよび受水槽１１０Ｂに３つ以上の水位計が設けられた場合も同様に、複数の水位計のうちの何れかを常用水位計とし、他の水位計を予備用水位計とし、常用水位計で何らかの異常を検出するまでは、常用水位計の水位信号に基づいて受水槽制御を行うとよい。
【００９７】
また、常用水位計および予備水位計は、複数の水位計で構成されてもよい。その場合、複数の水位計によって検出された水位の平均、水位の最大値、又は、水位の最小値等を常用水位計および予備水位計の検出値としてもよい。また、常用水位計は複数の水位を検出可能な水位計（電極式レベルスイッチや投げ込み式水位センサ）とし、予備水位計は単一の水位（例えば渇水のみ）を検出するフロートスイッチ等としてもよい。
【００９８】
更に、上述した全ての実施例並びに変形例において、Ｉ／Ｏ部４７における水位計への入出力回路の異常も、該当する水位計の異常に含まれるものとしてもよい。また、水位計の検出信号は、無線および有線における通信によって給水装置１０のＩ／Ｏ部４７へ入力される場合、制御部４０は、水位計と給水装置１０の通信異常を、該当する水位計の異常に含まれるものとしてもよい。何れの場合も、異常を検出した水位計が制御用センサであれば、制御用センサを変更センサに変更する。また、Ｉ／Ｏ部４７における水位計の入出力回路の異常や通信異常等が発生した場合には、水位計における検出信号が制御部４０に入力されなくなり渇水状態と判定されることが好ましい。
【００９９】
また、上述した全ての実施例並びに変形例において、複数の水位計の異常の検出の条件におけるその他の例としては、各水位計にて検出される水位に所定の水位差が生じている場合が含まれてもよい。例えば、水位計が複数の電極棒１２１〜１２５を備えた電極式レベルスイッチ１２０Ａ，１２０Ｂであれば、電極式レベルスイッチ１２０Ａにて渇水状態、電極式レベルスイッチ１２０Ｂで満水状態を検出している等、第１水位計と第２水位計に１つ以上または２つ以上の電極の水位差が検出されたら水位計の異常としてもよい。この場合、複数の水位計のうち、水位の変動が確認できない水位計があれば、当該水位計のみを異常としてもよい。
【０１００】
（第２の実施形態）
図８は、第２の実施形態に係る給水設備の一例を示す図である。本実施形態の給水設備１０００は、図５に示す給水設備３００と同様に、給水装置１０を備え、給水装置１０の上流側に単一の受水槽２１０（水槽）が接続されている。受水槽２１０には、水道本管に連通する導入管２０２より分岐した流入管２３０によって、水供給源である水道本管（図示せず）からの水（搬送液）が貯められる。流入管２３０には、市水流入弁２３２が設けられている。市水流入弁２３２は流入管２３０の流路を遮蔽可能なバルブであって、例えば、電磁弁で構成されており、給水装置１０のＩ／Ｏ部４７からの出力信号によって制御される。ただし、市水流入弁２３２の開閉は制御部４０を介さずに行われてもよい。
【０１０１】
受水槽２１０には、受水槽２１０内の水位を検知する水位計１１２０が設けられている。具体的には、水位計１１２０は、電極式レベルスイッチ１２０Ａ，１２０Ｂと同様の機能を有し、制御部４０に入力される。また、水位計１１２０に代えて、または加えて、フロートスイッチ（不図示）や投げ込み式の水位計等が設けられてもよい。
【０１０２】
制御部４０は、水位計１１２０から入力された水位信号に基づいて受水槽２１０の水位状態を判定し、判定した水位状態に基づいて受水槽制御（水槽制御）を実行する。受水槽制御には、市水流入弁２３２の開閉制御、渇水状態によるポンプ２０の強制停止、運転パネル４４や外部端末８０等への水位警報の表示、及び市水流入弁２３２開閉信号および水位警報等の外部出力等の少なくともひとつが含まれる。
【０１０３】
給水装置１０のＩ／Ｏ部４７は、水位計の信号を入力するため、コモン端子Ｅ１５,Ｅ３３と、水位計１１２０による検出信号を入力する入力端子Ｅ１１〜Ｅ１４, Ｅ３１,Ｅ３２を有する（図１０〜図１３参照）。図８に示す水位計１１２０は、一例として、受水槽２１０内に配置される複数の電極棒１１２１〜１１２５を備える。具体的には、電極棒
１１２１〜１１２５は、コモン端子Ｅ１５に接続されるコモン電極棒１１２１、端子Ｅ１４に接続される渇水の検出のための電極棒１１２２、端子Ｅ１３に接続される市水流入弁２３２を開放する開水位の検出、または、渇水復帰の検出のための電極棒１１２３、端子Ｅ１２に接続される市水流入弁２３２を閉止する閉水位の検出のための電極棒１１２４、端子Ｅ１１に接続される満水の検出のための電極棒１１２５となっている。入力端子Ｅ１４〜Ｅ１１の順で、低い水位から順に検出する電極棒が接続される。
【０１０４】
ここで、本実施形態で、制御部４０は、所定の検出条件（以下、「水位レベル検出条件」という）に基づいて受水槽２１０の水位状態を検出し、当該検出した水位状態が所定の異常水位状態であると判断したら、水位レベル検出条件を第１の検出条件から第２の検出条件へと変更する。
図９は、水位レベル検出条件の第１の検出条件から第２の検出条件への切り替えを示すフローチャートである。本フローチャートは、制御部４０により常時実行される。
【０１０５】
（ステップＳ１０００）
制御部４０に電源が投入されると、水位レベル検出条件を第１の検出条件とする。具体的には、制御部４０は、第１の検出条件として、電極棒１１２２に渇水の水位レベル、電極棒１１２３に開水位の水位レベル、電極棒１１２４に閉水位の水位レベル、および、電極棒１１２５に満水の水位レベル、を割り当てる。なお、第１の検出条件は、外部入力によって、設定変更ができるとよい。
【０１０６】
（ステップＳ１０１０）
制御部４０は、複数の電極棒１１２１〜１１２５に割り当てられた水位レベルにて受水槽２１０の水位の水位状態を検出する。具体的には、渇水の水位レベルが割り当てられた電極棒１１２２が水面より露出すると、制御部４０は、コモン電極棒１１２１と電極棒１１２２の導通がなくなるので、水位計１１２０から入力された水位信号が渇水の水位レベル未満であると判断し、水位状態として渇水状態を検出する。制御部４０は渇水状態を検出すると、受水槽制御として運転パネル４４のＬ２（図１Ｂ参照）を点灯しポンプ２０の給水制御を異常停止する。また、開水位の水位レベルが割り当てられた電極棒１１２３が水面より露出すると、制御部４０は、コモン電極１１２１と電極棒１１２３の導通がなくなるので、水位計１１２０から入力された水位信号が開水位の水位レベル未満であると判断し、水位状態として開水位状態を検出する。制御部４０は受水槽制御として、開水位状態を検出すると市水流入弁２３２を開く接点信号を外部出力する。閉水位の水位レベルが割り当てられた電極棒１１２４の少なくとも一部が水没すると、制御部４０は、コモン電極１１２１と電極棒１１２４が導通するので、水位計１１２０から入力された水位信号が閉水位の水位レベル以上であるとし、水位状態として閉水位状態を検出する。制御部４０は閉水位状態を検出すると、受水槽制御として、市水流入弁２３２を閉じる接点信号を外部出力する。満水の水位レベルが割り当てられた電極棒１１２５の少なくとも一部が水没すると、制御部４０はコモン電極棒１１２１と電極棒１１２５が導通するので、水位計１１２０から入力された水位信号が満水水位の水位レベル以上であるとし、水位状態として満水状態を検出する。制御部４０は満水状態を検出すると、受水槽制御として運転パネル４４のＬ１（図１Ｂ参照）を点灯する。なお、渇水状態となると、上述した受水槽制御によってポンプ２０は上述の給水制御による自動運転が強制停止されるので水供給先は断水となる。一方、渇水状態でなければ、ポンプ２０は上述の給水制御によって自動運転が継続される。
【０１０７】
（ステップＳ１０２０）
次に、制御部４０は、ステップＳ１０１０にて検出した水位状態が異常水位状態であるか否かを判断する。例えば、制御部４０は、水位計１１２０にて検出された水位の矛盾にて異常水位状態である、と判断する。ここで、水位に矛盾が生じている状態は、複数の電
極棒１１２２〜１１２５のうち少なくともひとつが水面より露出した状態を検出するのと同時に、該露出した電極棒よりも高い水位を検出する電極棒の一部が水没した状態を検出した状態である。また、水位計１１２０にて検出される水位に矛盾が生じている状態は、複数の電極棒１１２２〜１１２５のうち少なくともひとつが水没した状態を検出するのと同時に、該露出した電極棒よりも低い水位を検出する電極棒が水面より露出した状態を検出した状態である。一例として、渇水状態と閉水位状態が同時に検出される等である。
そして、制御部４０は、異常水位状態であると判断したら（ステップＳ１０２０；Ｙｅｓ）ステップＳ１０３０に移動し、異常水位状態でないと判断したら（ステップＳ１０２０；Ｎｏ）ステップＳ１０１０に戻って第１の検出条件にて水位状態を検出する。
【０１０８】
（ステップＳ１０３０）
本ステップ以降では、ステップＳ１０２０における異常水位状態として、電極棒１１２２が水面より露出した状態（渇水）を検出するのと同時に、該露出した電極棒よりも高い水位を検出する電極棒１１２３〜１１２５のうち少なくともひとつが水没した状態（開水位レベル、閉水位レベル、および満水水位レベル以上の水位の何れか）を検出した場合の説明を行う。
【０１０９】
ステップＳ１０３０で、制御部４０は、水位レベルの検出条件を第１の検出条件から第２の検出条件に変更する。具体的に、制御部４０は、第１の検出条件下で異常水位状態であると判断した水位レベルである渇水を、第２の検出条件下では、電極棒１１２２に代えて電極棒１１２３に割り当てる。更に、第２の検出条件下では、電極棒１１２３には更に開水位の水位レベルが割り当てられ、電極棒１１２４は閉水位の水位レベル、電極棒１１２５は満水の水位レベルが割り当てられる。このように、第２の検出条件下では、異常水位状態であると判断した電極棒（本実施例では電極棒１１２２）に代えて、異常水位状態を検出した水位の次に低い水位を検出する電極棒（本実施例では電極棒１１２３）で当該異常水位状態の水位（本実施例では渇水）を検出する。なお、本実施形態では、「電極棒（ここでは電極棒Ｎ１と称す）の次に低い水位を検出する電極棒（ここでは電極棒Ｎ２と称す）」は、電極棒Ｎ１より高い水位を検出するための電極棒であって、ひとつの水位計に含まれる全ての電極棒の中で電極棒Ｎ１の次に低い水位を検出するための電極棒を意味する。つまり、水位計に含まれる複数の電極棒において、電極棒Ｎ１の下端が電極棒Ｎ２の下端の次に高い位置に設置されている。また、本実施形態では、「電極棒（ここでは電極棒Ｎ３と称す）の次に高い水位を検出する電極棒（ここでは電極棒Ｎ４と称す）」は、電極棒Ｎ３より低い水位を検出する電極棒であって、水位計に含まれる全ての電極棒の中で電極棒Ｎ３の次に高い水位を検出するための電極棒を意味する。つまり、水位計に含まれる複数の電極棒において、電極棒Ｎ３の下端が電極棒Ｎ４の下端の次に低い位置に設置されている。
【０１１０】
なお、制御部４０は、第１の検出条件下で異常水位状態であると判断したときに、水位計からの検出信号に基づいて、異常である電極棒、及び／又は異常である水位レベルを特定してもよい。なお、制御部４０は、矛盾した水位状態が検出されたときには、異常である電極棒、及び／又は水位レベルが特定されるまで、水位レベル検出条件を第１の検出条件としてポンプ２０を異常停止し、異常である電極棒、及び／又は水位レベルが特定されると、水位レベル検出条件を第２の検出条件へ変更してもよい。
【０１１１】
制御部４０は、或る電極棒が水面より露出した状態を検出し、当該電極棒よりも高い水位を検出する電極棒のうち２つ以上が水没した状態を検出した場合に、露出した状態を検出した電極棒を異常であると判断してもよい。また、制御部４０は、或る電極棒が水没した状態を検出し、当該電極棒よりも低い水位を検出する電極棒のうち２つ以上が水面より露出した状態を検出した場合には、水没した状態を検出した電極棒を異常であると判断してもよい。
【０１１２】
また、制御部４０は、渇水状態が検出されたときには、渇水を検出する電極棒１１２２、及び／又は渇水、を異常であると判断してもよい。これは、第２の実施形態では、制御部４０は、通常、渇水状態に至らないように受水槽制御を行うことに基づく。換言すれば、制御部４０は、或る水位以上の状態（例えば満水状態）、又は或る水位以下の状態（例えば渇水状態）に至ったときにポンプ２０を異常停止させる制御を行う場合、当該状態を検出した電極棒を異常であると判断してもよい。
【０１１３】
さらに、複数の電極棒を備える水位計を使用して水槽の水位を検出する場合、異常水位状態は、電極棒の落下（脱落）によって生じ得る。このため、矛盾した水位状態が検出されたときには、電極棒が落下した場合の検出結果を示す電極棒を異常であると判断してもよい。例えば、電極棒１１２２、１１２４が水没した状態を検出し、電極棒１１２３、１１２５が水面より露出した状態を検出した場合を考える。このときに、電極棒が落下することによって水面より露出した状態を検出することが想定される環境下（例えば、電極棒の落下により当該電極棒からＩ／Ｏ部４７までの配線が切断される環境下）では、水面より露出した状態を検出した電極棒１１２３が異常であると判断されるとよい。また、電極棒が落下することによって電極棒が水没した状態を検出することが想定される環境下（例えば、電極棒の落下により当該電極棒が水槽の底に位置し、且つ当該電極棒からＩ／Ｏ部４７までの配線が維持される環境下）では、水没した状態を検出した電極棒１１２４、が異常であると判断されるとよい。
【０１１４】
制御部４０は、電極棒が正常であれば当該電極棒による検出が所定の検出範囲内となるような場合には、検出範囲外の検出をした電極棒を異常であると判断するとよい。また、制御部４０が水位計１１２０の電気的な異常を判断したら異常水位状態としてもよい。例えば、水位計１１２０が交流信号を用いて信号検出される場合、制御部４０は水位計１１２０からの入力信号が所定の時間以上ＯＮのまま継続したら、該当する電極棒を異常水位状態としてもよい。
【０１１５】
（ステップＳ１０４０）
制御部４０は、第２の検出条件では、電極棒１１２２による渇水の検出に代えて、電極棒１１２３による渇水の検出を行う。この場合、電極棒１１２３は、渇水と開水位の水位レベルの検出を兼ねるため、少なくとも一方の水位レベルを検出するのに検出タイマを用いてもよい。具体的には、電極棒１１２３以下の水位にて市水流入弁２３２を開放し、その後所定時間経過しても電極棒１１２３以下の水位が継続したら渇水状態としてもよい。
このように、本実施形態では、制御部４０は、正常に水位レベルが検出されない電極棒とは別の電極棒を用いて受水槽制御を継続することができる。
【０１１６】
（ステップＳ１０５０）
制御部４０は、第２の検出条件下にて受水槽２１０の水位レベルを検出中に、外部入力によって、警報リセットが入力されたら、ステップＳ１０００に戻り、第１の検出条件にて水位状態を検出する。
【０１１７】
図１０，図１１，図１２，図１３は、給水設備１０００における水位計として電極式レベルスイッチの別の構成例を示す図である。なお、図中の矢印は、各水位レベルにおける水位状態の検出条件を示す。制御部４０は、Ｉ／Ｏ部４７に当該電極式レベルスイッチの信号を入力するための端子として、コモン端子Ｅ１５,Ｅ３３と各電極棒の信号を入力する入力端子Ｅ１１〜Ｅ１４, Ｅ３１,Ｅ３２を有する。なお、給水設備１０００における水位計として、図８に示す水位計１１２０，図１０に示す水位計１２２０，図１１に示す水位計１３２０，図１２に示す水位計１４２０，図１３に示す水位計１５２０のうち何れの水位計が用いられるかは、外部入力によって設定変更できるとよい。また、図１０，図
１１，図１２，図１３では、電極棒が直接Ｉ／Ｏ部４７に接続されているが、電極棒は、ケーブル等を介してＩ／Ｏ部４７と接続されてもよいし、水位計１２０での検出信号は任意の無線または有線における通信でＩ／Ｏ部４７に送信されてもよい。
【０１１８】
図１０に示す水位計１２２０は、４本の電極棒１２２１〜１２２４にて水位レベルを検出する。図１０（Ａ）は第１の検出条件における水位レベルを示し、図１０（Ｂ）は第２の検出条件における水位レベルを示す。一実施形態として、図８の給水設備１０００において、水位計１１２０に代えて図１０に示す水位計１２２０が用いられる。
【０１１９】
図１０（Ａ）に示すように、水位計１２２０は、４本の電極棒１２２１〜１２２４を有する。第１の検出条件として、制御部４０は、コモン端子Ｅ１５に接続される電極棒１２２１をコモンとし、端子Ｅ１４に接続される電極棒１２２２に渇水の水位レベル、端子Ｅ１３に接続される電極棒１２２３に渇水復帰の水位レベル、端子Ｅ１１に接続される電極棒１１２４に満水の水位レベルを割り当てる。
【０１２０】
そして、制御部４０は、第１の検出条件に基づいて水位状態として渇水状態、満水状態を検出する。具体的には、制御部４０は、矢印１２３１に示すように、コモン電極棒１２２１と電極棒１２２２との導通がない渇水水位レベル未満で渇水状態とし、受水槽制御として運転パネル４４のＬ２を点灯しポンプ２０の給水制御を中断して強制停止する。そして、矢印１２３１に示すように、当該渇水検知後にコモン電極棒１２２１と電極棒１２２３とが導通する渇水復帰水位レベル以上で渇水復帰を検出して運転パネル４４のＬ２を消灯しポンプ２０の給水制御による運転を復帰させる。そして、図中の矢印１２３２に示すように、コモン電極棒１２２１と電極棒１２２４とが導通した満水水位レベル以上で満水状態とし、コモン電極棒１２２１と電極棒１２２４との導通がない満水水位レベル未満で満水状態を解除する。
【０１２１】
ここで、受水槽２１０の水位が渇水復帰の水位レベル以上であるにも関わらず、渇水の水位レベルを割り当てられた電極棒１２２２が水位計１２２０より落下する等して制御部４０がコモン電極棒１２２１と電極棒１２２２との導通を検出できないと、渇水の水位レベル以下と渇水復帰の水位レベル以上とが検出される矛盾した水位状態となる。そこで、制御部４０は、異常水位状態（ステップＳ１０２０；Ｙｅｓ）と判断し、水位レベル検出条件を第１の検出条件から第２の検出条件に切り替える（ステップＳ１０３０）。次に、第２の検出条件の一例を図１０（Ｂ）に示す。
【０１２２】
図１０（Ｂ）に示す電極が４本の水位計１２２０では、第２の検出条件として、制御部４０は、電極棒１２２１をコモンとし、異常水位状態である電極棒１２２２の次に低い水位を検出する電極棒１２２３に渇水の水位レベルと渇水復帰の水位レベルを割り当て、電極棒１２２４に満水の水位レベルを割り当てる。そして、制御部４０は、第２の検出条件に基づいて水位状態として渇水状態、満水状態を検出する。具体的には、制御部４０は、図中の矢印１２４１に示すように、コモン電極棒１２２１と電極棒１２２３との導通がない渇水水位レベル未満で渇水状態とし、受水槽制御として運転パネル４４のＬ２を点灯しポンプ２０の給水制御を中断して異常停止する。そして、矢印１２４１に示すように、当該渇水検知後にコモン電極棒１２２１と電極棒１２２３とが導通する渇水復帰水位レベル以上で渇水状態を解除して、運転パネル４４のＬ２を消灯しポンプ２０の給水制御による運転を復帰させる。そして、矢印１２４２に示すように、コモン電極棒１２２１と電極棒１２２４とが導通した満水水位レベル以上で満水状態とし、コモン電極棒１２２１と電極棒１２２４との導通がない満水水位レベル未満で満水状態を解除する。
【０１２３】
本実施形態では、渇水水位レベルを検出する電極棒１２２２が異常となった場合、電極棒１２２２に代えて次に高い水位を検出する電極棒１２２３に渇水の水位レベルを割り当
てた。一実施形態では、渇水水位レベルを検出する電極棒１２２２が異常となった場合、電極棒１２２２に代えてより高い水位を検出する電極棒１２２４に渇水の水位レベルを割り当ててもよい。
【０１２４】
このように、渇水水位レベルを検出する電極棒１２２２が異常となった場合、電極棒１２２２に代えてより高い水位を検出する電極棒に渇水の水位レベルを割り当てることで、ポンプ２０は、受水槽２１０の水位が第１の条件下の渇水水位レベル以上のときのみ自動運転される。これにより、ポンプ２０の空運転を防止しつつ給水を継続できる。また、正常に水位レベルが検出されない電極棒とは別の電極棒を用いて受水槽制御を継続することができる。
【０１２５】
図１１に示す水位計１３２０は、５本の電極棒１３２１〜１３２５にて水位レベルを検出する。図１１の（Ａ）は第１の検出条件における水位レベルを示し、図１１の（Ｂ）は第２の検出条件における水位レベルを示す。一実施形態では、図８に示す給水設備１０００において、水位計１１２０に代えて図１１に示す水位計１３２０が用いられる。
【０１２６】
図１１（Ａ）に示すように、水位計１３２０は、５本の電極棒１３２１〜１３２５を有する。第１の検出条件として、制御部４０は、Ｉ／Ｏ部４７のコモン端子Ｅ１５に接続される電極棒１３２１をコモンとし、端子Ｅ１４に接続される電極棒１３２２に渇水の水位レベル、端子Ｅ１３に接続される電極棒１３２３に渇水復帰の水位レベル、端子Ｅ１２に接続される電極棒１３２４に減水の水位レベル、端子Ｅ１１に接続される電極棒１３２５に満水の水位レベルを割り当てる。
【０１２７】
そして、制御部４０は、第１の検出条件に基づいて水位状態として渇水状態、減水状態、満水状態を検出する。具体的には、矢印１３３１に示すように、制御部４０は、コモン電極棒１３２１と電極棒１３２２との導通がない渇水水位レベル未満で渇水状態とし、受水槽制御として運転パネル４４のＬ２を点灯しポンプ２０の給水制御を中断して強制停止する。そして、当該渇水検知後にコモン電極棒１３２１と電極棒１３２３とが導通した渇水復帰水位レベル以上で渇水状態を解除して運転パネル４４のＬ２を消灯しポンプ２０の給水制御による運転を復帰させる。そして、矢印１３３２に示すように、コモン電極棒１３２１と電極棒１３２４との導通がない減水水位レベル未満で減水状態とし、コモン電極棒１３２１と電極棒１３２４とが導通した減水レベル以上で減水状態を解除する。矢印１３３３に示すように、コモン電極棒１３２１と電極棒１３２５とが導通した満水水位以上で満水状態とし、コモン電極棒１３２１と電極棒１３２５との導通がない満水水位レベル未満で満水状態を解除する。
【０１２８】
ここで、受水槽２１０の水位が渇水復帰の水位レベル以上であるにも関わらず、渇水の水位レベルを割り当てられた電極棒１３２２が水位計１３２０より落下する等して制御部４０がコモン電極棒１３２１と電極棒１３２２との導通を検出できないと、渇水レベル以下と渇水復帰レベル以上とが検出される矛盾した水位状態となる。そこで、制御部４０は、電極棒１３２２が異常水位状態（ステップＳ１０２０；Ｙｅｓ）と判断し、水位レベル検出条件を第１の検出条件から第２の検出条件に切り替える（ステップＳ１０３０）。次に、第２の検出条件の一例を図１１（Ｂ）に示す。
【０１２９】
図１１（Ｂ）に示す電極が５本の水位計１３２０では、第２の検出条件として、制御部４０は、電極棒１３２１をコモンとし、異常水位状態の電極棒１３２２の次に低い水位を検出する順にて、電極棒１３２３に渇水の水位レベル、電極棒１３２４に渇水復帰の水位レベルと減水の水位レベルを割り当て、電極棒１３２５に満水の水位レベルを割り当てる。
【０１３０】
そして、制御部４０は、第２の検出条件に基づいて水位状態として渇水状態、減水状態、満水状態を検出する。具体的には、制御部４０は、矢印１３４１に示すように、コモン電極棒１３２１と電極棒１３２３との導通がない渇水水位レベル未満で渇水状態とし、受水槽制御として運転パネル４４のＬ２を点灯しポンプ２０の給水制御を中断して異常停止する。そして、矢印１３４１に示すように、当該渇水検知後にコモン電極棒１３２１と電極棒１３２４とが導通した渇水復帰水位レベル以上で渇水状態を解除して運転パネル４４のＬ１を消灯しポンプ２０の給水制御による運転を復帰させる。また、矢印１３４２に示すように、コモン電極棒１３２１と電極棒１３２４との導通がない減水水位レベル未満で減水状態とし、コモン電極棒１３２１と電極棒１３２４とが導通する減水水位レベル以上で減水状態を解除する。更に、矢印１３４３に示すように、コモン電極棒１３２１と電極棒１３２５とが導通した満水水位レベル以上で満水状態とし、コモン電極棒１３２１と電極棒１３２５との導通がない満水水位レベル以下で満水状態を解除する。
【０１３１】
本実施形態では、渇水水位レベルを検出する電極棒１３２２が異常となった場合、電極棒１３２２に代えて次に高い水位を検出する電極棒１３２３に渇水の水位レベルを割り当てた。一実施形態では、渇水水位レベルを検出する電極棒１３２２が異常となった場合、電極棒１３２２に代えてより高い水位を検出する電極棒１３２４，１３２５に渇水の水位レベルを割り当ててもよい。
【０１３２】
このように、渇水水位レベルを検出する電極棒１３２２が異常となった場合、電極棒１３２２に代えてより高い水位を検出する電極棒に渇水の水位レベルを割り当てることで、受水槽の水位が所定のレベル以上の水位状態のときのみポンプ２０は自動運転される。これにより、ポンプ２０の空運転を防止しつつ給水を継続できる。また、正常に水位レベルが検出されない電極棒とは別の電極棒を用いて受水槽制御を継続することができる。
【０１３３】
図１２に示す水位計１４２０は、５本の電極棒１４２１〜１４２５にて水位レベルを検出する。図１２の（Ａ）は第１の検出条件における水位レベルを示し、図１２の（Ｂ）は第２の検出条件における水位レベルを示す。一実施形態として、給水設備１０００において、水位計１１２０に代えて図１０に示す水位計１４２０が用いられる。
【０１３４】
図１２（Ａ）に示すように、水位計１４２０は、５本の電極棒１４２１〜１４２５を有する。第１の検出条件として、制御部４０は、Ｉ／Ｏ部４７のコモン端子Ｅ１５に接続される電極棒１４２１をコモンとし、端子Ｅ１４に接続される電極棒１４２２に渇水の水位レベル、端子Ｅ１３に接続される電極棒１４２３に渇水復帰の水位レベルと開水位（ＳＶ開）の水位レベル、端子Ｅ１２に接続される電極棒１４２４に閉水位（ＳＶ閉）の水位レベル、端子Ｅ１１に接続される電極棒１４２５に満水の水位レベルを割り当てる。
【０１３５】
そして、制御部４０は、第１の検出条件に基づいて水位状態として渇水状態、開水位状態、閉水位状態、満水状態を検出する。具体的には、制御部４０は、矢印１４３１に示すように、コモン電極棒１４２１と電極棒１４２２との導通がない渇水水位レベル未満で渇水状態とし、受水槽制御として運転パネル４４のＬ２を点灯しポンプ２０の給水制御を中断して異常停止する。そして、矢印１４３１に示すように当該渇水検知後にコモン電極棒１４２１と電極棒１４２３とが導通する渇水復帰水位レベル以上で渇水状態を解除して運転パネル４４のＬ２を消灯しポンプ２０の給水制御による運転を復帰させる。また、制御部４０は、矢印１４３２に示すようにコモン電極棒１４２１と電極棒１４２３との導通がない開水位レベル未満で開水位状態とし、受水槽制御として市水流入弁２３２を開する信号を出力し、当該開水位状態の後にコモン電極棒１４２１と電極棒１４２４とが導通する閉水位レベル以上で閉水位状態とし市水流入弁２３２を閉する信号を出力する。そして、矢印１４３３に示すように、コモン電極棒１４２１と電極棒１４２５とが導通する満水水位レベル以上で満水状態とし、コモン電極棒１４２１と電極棒１４２５との導通がない満
水水位レベル未満で満水状態から復帰する。
【０１３６】
ここで、受水槽２１０の水位が渇水復帰の水位レベル以上であるにも関わらず、渇水の水位レベルを割り当てられた電極棒１４２２が水位計１４２０より落下する等して制御部４０がコモン電極棒１４２１と電極棒１４２２との導通を検出できないと、渇水レベル以下と渇水復帰レベル以上とが検出される矛盾した水位状態となる。そこで、制御部４０は、異常水位状態（ステップＳ１０２０；Ｙｅｓ）と判断し、水位レベル検出条件を第１の検出条件から第２の検出条件に切り替える（ステップＳ１０３０）。次に、第２の検出条件の一例を図１２（Ｂ）に示す。
【０１３７】
図１２（Ｂ）に示す電極が５本の水位計１４２０では、第２の検出条件として、制御部４０は、電極棒１４２１をコモンとし、電極棒１４２２の次に低い水位を検出する電極棒１４２３に渇水の水位レベルと開水位、電極棒１４２４に渇水復帰の水位レベルと閉水位の水位レベルを割り当て、電極棒１４２５に満水の水位レベルを割り当てる。
【０１３８】
そして、制御部４０は、第２の検出条件に基づいて水位状態として渇水状態、減水状態、満水状態を検出する。具体的には、矢印１４４１に示すように、制御部４０は、コモン電極棒１４２１と電極棒１４２３との導通がない渇水水位未満で渇水状態とし、受水槽制御として運転パネル４４のＬ２を点灯しポンプ２０の給水制御を中断して異常停止する。そして、矢印１４４１に示すように、当該渇水検知後にコモン電極棒１４２１と電極棒１４２４とが導通した渇水復帰水位レベル以上で渇水状態を解除して運転パネル４４のＬ２を消灯しポンプ２０の給水制御による運転を復帰させる。また、制御部４０は、矢印１４４２に示すように、コモン電極棒１４２１と電極棒１４２３との導通がない閉水位レベル未満で開水位状態とし市水流入弁２３２を開する信号を出力し、当該開水位状態の後にコモン電極棒１４２１と電極棒１４２４とが導通した閉水位レベル以上で閉水位状態とし市水流入弁２３２を閉する信号を出力する。そして、矢印１４４３に示すように、コモン電極棒１４２１と電極棒１４２５とが導通する満水水位レベル以上で満水状態とし、コモン電極棒１４２１と電極棒１４２５との導通がない満水水位レベル未満で満水状態を解除する。
【０１３９】
本実施形態では、渇水水位レベルを検出する電極棒１４２２が異常となった場合、電極棒１４２２に代えて次に高い水位を検出する電極棒１４２３に渇水の水位レベルを割り当てた。一実施形態では、渇水水位レベルを検出する電極棒１４２２が異常となった場合、電極棒１４２２に代えてより高い水位を検出する電極棒１４２４，１４２５に渇水の水位レベルを割り当ててもよい。
【０１４０】
このように、渇水水位レベルを検出する電極棒１４２２が異常となった場合、電極棒１４２２に代えてより高い水位を検出する電極棒１３２３に渇水の水位レベルを割り当てることで、受水槽の水位が所定のレベル以上の水位状態のときのみポンプ２０は自動運転される。これにより、ポンプ２０の空運転を防止しつつ給水を継続できる。また、正常に水位レベルが検出されない電極棒とは別の電極棒を用いて受水槽制御を継続することができる。
【０１４１】
図１３に示す水位計１５２０は、５本の電極棒１５２１〜１５２５にて水位レベルを検出する。図１３の（Ａ）は第１の検出条件における水位レベルを示し、図１３の（Ｂ）は第２の検出条件における水位レベルを示す。一実施形態では、給水設備１０００において、水位計１１２０に代えて図１３に示す水位計１５２０が用いられる。
【０１４２】
図１３（Ａ）に示すように、水位計１５２０は、５本の電極棒１５２１〜１５２５を有する。第１の検出条件として、制御部４０は、Ｉ／Ｏ部４７のコモン端子Ｅ１５に接続さ
れる電極棒１５２１をコモンとし、端子Ｅ１４に接続される電極棒１５２２に渇水の水位レベル、端子Ｅ１３に接続される電極棒１５２３に渇水復帰の水位レベル、減水の水位レベル並びに開水位（ＳＶ開）の水位レベル、端子Ｅ１２に接続される電極棒１４２４に閉水位（ＳＶ閉）の水位レベル、端子Ｅ１１に接続される電極棒１５２５に満水の水位レベルを割り当てる。
【０１４３】
そして、制御部４０は、第１の検出条件に基づいて水位状態として渇水状態、減水状態、開水位状態、閉水位状態、満水状態を検出する。具体的には、制御部４０は、矢印１５３１に示すように、コモン電極棒１５２１と電極棒１５２２との導通がない渇水水位レベル未満で渇水状態とし、受水槽制御として運転パネル４４のＬ２を点灯しポンプ２０の給水制御を中断して異常停止する。そして、矢印１５３１に示すように、当該渇水検知後にコモン電極棒１５２１と電極棒１５２３とが導通した渇水復帰水位レベル以上で渇水状態を解除して運転パネル４４のＬ２を消灯しポンプ２０の給水制御による運転を復帰させる。また、制御部４０は、矢印１５３２に示すように、電極棒１５２１と電極棒１５２３との導通がない減水水位レベル未満で減水状態とする。なお、減水状態は、電極棒１５２１と電極棒１５２３との導通がない状態が所定時間以上継続するなど、所定条件が成立したら検出し、電極棒１５２１と電極棒１５２３との導通した減水水位レベル以上で解除されるとよい。更に、矢印１５３３に示すように、コモン電極棒１５２１と電極棒１５２３との導通がない開水位レベル未満で開水位状態とし市水流入弁２３２を開放する信号を出力し、当該開水位状態の後にコモン電極棒１５２１と電極棒１５２４とが導通した閉水位レベル以上で閉水位状態とし市水流入弁２３２を閉止する信号を出力する。そして、矢印１５３４に示すように、コモン電極棒１５２１と電極棒１５２５とが導通した満水水位レベル以上で満水状態とし、コモン電極棒１５２１と電極棒１５２５との導通がない満水水位レベル未満で満水状態を解除する。
【０１４４】
ここで、受水槽２１０の水位が渇水復帰の水位レベル以上であるにも関わらず、渇水の水位レベルを割り当てられた電極棒１５２２が水位計１５２０より落下する等して制御部４０がコモン電極棒１５２１と電極棒１５２２との導通を検出できないと、渇水レベル以下と渇水復帰レベル以上の矛盾した水位状態となる。そこで、制御部４０は、異常水位状態（ステップＳ１０２０；Ｙｅｓ）と判断し、水位レベル検出条件を第１の検出条件から第２の検出条件に切り替える（ステップＳ１０３０）。次に、第２の検出条件の一例を図１３（Ｂ）に示す。
【０１４５】
図１３（Ｂ）に示す電極が５本の水位計１５２０では、第２の検出条件として、制御部４０は、電極棒１５２１をコモンとし、電極棒１５２２の次に低い水位を検出する電極棒１５２３に渇水の水位レベル、減水の水位レベル、開水位の水位レベル、電極棒１５２４に渇水復帰の水位レベルと閉水位の水位レベルを割り当て、電極棒１５２５に満水の水位レベルを割り当てる。
【０１４６】
そして、制御部４０は、第２の検出条件に基づいて水位状態として渇水状態、減水状態、開水位状態、閉水位状態、満水状態を検出する。具体的には、制御部４０は、矢印１５４１に示すように、コモン電極棒１５２１と電極棒１５２３との導通がない渇水水位レベル未満で渇水状態とし、受水槽制御として運転パネル４４のＬ２を点灯しポンプ２０の給水制御を中断して異常停止する。そして、矢印１５４１に示すように、当該渇水検知後にコモン電極棒１５２１と電極棒１５２４とが導通する渇水復帰水位レベル以上で、渇水状態を解除して運転パネル４４のＬ２を消灯しポンプ２０の給水制御による運転を復帰させる。また、制御部４０は、矢印１５４２に示すように、電極棒１５２１と電極棒１５２３との導通がない減水水位レベル未満で減水状態とし、電極棒１５２１と電極棒１５２３とが導通した減水水位レベル以上で減水状態を解除する。更に、矢印１５４３に示すように、コモン電極棒１５２１と電極棒１５２３との導通がない開水位レベル未満で開水位状態
とし市水流入弁２３２を開放する信号を出力し、当該開水位状態の後にコモン電極棒１５２１と電極棒１５２４とが導通した閉水位レベル以上で閉水位状態とし市水流入弁２３２を閉止する信号を出力する。そして、矢印１５４４に示すように、コモン電極棒１５２１と電極棒１５２５とが導通した満水水位レベル以上で満水状態とし、コモン電極棒１５２１と電極棒１５２５との導通がない満水水位レベル未満で満水状態を解除する。
【０１４７】
本実施形態では、渇水水位レベルを検出する電極棒１５２２が異常となった場合、電極棒１５２２に代えて次に高い水位を検出する電極棒１５２３に渇水の水位レベルを割り当てた。一実施形態では、渇水水位レベルを検出する電極棒１５２２が異常となった場合、電極棒１５２２に代えてより高い水位を検出する電極棒１５２４，１５２５に渇水の水位レベルを割り当ててもよい。
【０１４８】
このように、渇水水位レベルを検出する電極棒１５２２が異常となった場合、受水槽の水位が所定のレベル以上の水位状態のときのみポンプ２０は自動運転される。これにより、ポンプ２０の空運転を防止しつつ給水を継続できる。また、異常の電極棒１５２２に代えてより高い水位を検出する電極棒１５２３に渇水の水位レベルを割り当てることで、正常に水位レベルが検出されない電極棒とは別の電極棒を用いて受水槽制御を継続することができる。
【０１４９】
なお、図１３に示す例では、第２の検出条件で電極棒１５２３は、渇水状態と減水状態と開水位の３つの水位レベルの検出を兼ね、電極棒１５２４が渇水復帰と閉水位の２つの水位レベルの検出を兼ねる。一実施形態では、第２の検出条件で電極棒１５２３が渇水状態と開水位の２つの水位レベルの検出を兼ね、電極棒１５２４が渇水復帰と減水と閉水位の３つの水位レベルの検出を兼ねてもよい。
【０１５０】
ここで、図１０（Ｂ）に示す第２の検出条件下で電極棒１２２３は、渇水と渇水復帰との２つの水位レベルの検出を兼ねる。図１２（Ｂ）に示す第２の検出条件下で電極棒１４２３は、渇水状態と開水位との２つの水位レベルの検出を兼ねる。図１３（Ｂ）に示す第２の検出条件下で電極棒１５２３は、渇水状態と減水状態と開水位の３つの水位レベルの検出を兼ねる。このように、ひとつの電極棒にて複数の水位レベルを検出する場合、少なくともひとつの水位状態を検出する検出タイマを用いてもよいし、水位レベルごとに異なる設定時間にて検出タイマを用いてもよい。これにより、複数の水位レベルが検出されるタイミングをずらすことができ、制御部４０による制御が過度に変更されることを抑制できる。
【０１５１】
また、ひとつの電極棒にて渇水と開水位の水位レベルを検出する場合、渇水状態を検出する検出タイマの設定時間は、開水位状態を検出する検出タイマの設定時間よりも長いとよい。これにより、開水位状態にて市水流入弁２３２から水を流入した結果、受水槽２１０の水位が上昇すれば、渇水状態を避けることができる。よって、渇水状態によるポンプ２０の異常停止を減らすことができる。
【０１５２】
このように、異常の電極棒に代えてより高い水位を検出する電極棒に渇水の水位レベルを割り当てて水槽制御を行うことで、正常に水位レベルが検出されない電極棒とは別の電極棒を用いて受水槽制御を継続することができる。つまり、給水装置１０は、受水槽２１０の渇水水位レベルと渇水水位レベルよりも高い所定の水位レベルとを検出する水位計１１２０の水位信号とを入力し、制御部４０は、渇水水位レベル未満の水位信号（渇水状態）と渇水状態以上の所定の水位レベル以上の水位信号を入力したら、水位信号に何かしらの異常が発生していると判断して、渇水状態によるポンプ２０の強制停止を行わずにポンプ２０による給水を継続する。これにより、給水先への断水を避けることができる。
【０１５３】
また、通常は、何れの水位計においても受水槽２１０の水位は満水レベル未満から渇水水位レベル以上の水位にて上下する。よって、第１の検出条件下の満水レベル未満の所定の水位を通常の水位レベルＬｖとすると、図１０（Ｂ）, 図１１（Ｂ），図１２（Ｂ），図１３（Ｂ）に示すように、第２の検出条件下で、当該水位レベルＬｖ以下の水位にて渇水レベル並びに渇水復帰レベルが検出されるよう電極棒が割り当てられるとよい。
【０１５４】
なお、上述の第２の検出条件下で、制御部４０は、ポンプ２０が給水制御による運転中に、吐出し圧力、及び／又は、吐出し流量に基づいて、空運転であるか否かを判断し、当該空運転であると判断したら、ポンプ２０を異常停止する。具体的には、制御部４０は、ポンプ２０が給水制御にて運転中（例えば、ポンプ２０の回転速度が定格の９８％以上）に、吐出し圧力が目標圧よりも小さい所定の圧力（例えば、目標圧の８０％）以下、及び／又は、フロースイッチ２４による過少流量以下の状態が所定の空運転検出時間（例えば１０秒間）以上継続すると、空運転であると判断し、ポンプ２０を異常停止する。第２の検出条件下では、正しく水位レベルが検出できない虞があるため、ポンプ２０の回転速度に対して吐出し圧力が異常に低下している状態が所定時間継続したら、制御部４０は受水槽２１０の水が枯渇してポンプ２０が空運転していると判断して、ポンプ２０を異常停止するとよい。なお、制御部４０は、第１の検出条件下でも同様に、空運転を検出してもよい。その場合、第２の検出条件下では水位の検出条件を変更しているため、制御部４０は、第２の検出条件下の空運転検出時間を第１の検出条件下の空運転検出時間よりも短くするとよい。
【０１５５】
なお、本実施形態では、水位計にて検出した水位状態の矛盾にて異常水位状態である、と判断した。しかしながら、受水槽２１０の水位は、通常、渇水の水位レベル以上満水の水位レベル未満にて変化する。よって、一実施形態では、渇水の水位レベルが検出できない場合に異常水位状態であるとしてもよい。つまり、例えば、受水槽２１０の水位が渇水の水位レベル未満である場合に異常水位状態であるとしてもよいし、渇水の水位レベルを検出する電極棒に不具合または異常が生じている場合、換言すれば渇水の水位レベルを検出する電極棒の水位レベルが正常に検出できない場合に、異常水位状態であるとしてもよい。
【０１５６】
また、本実施形態では、渇水の水位レベルを検出する電極棒の水位が検出できない場合、異常水位状態であるとして、渇水の次に高い水位レベルを検知する電極棒にて渇水を検出した。一実施形態では、複数の水位レベルのうち、渇水以外の水位レベルを検出する電極棒においても、制御部４０は、第１の検出条件にて水位レベルが正常に検知できないと判断したら、第２の検出条件では、当該水位レベルが検知できない電極棒に代えて、次に低い水位または次に高い水位を検出するための電極棒を当該水位レベルに割り当てるとよい。これにより、受水槽制御を継続できる。なお、上述の第２の検出条件下の受水槽制御は、一例であって、運転パネル４４の表示等に関する受水槽制御は、第２の検出条件下でも第１の条件下における水位状態と同じとし、第２の検出条件下では、渇水状態によるポンプ２０の強制停止制御のみを実施してもよい。これにより、ポンプ２０による給水を継続しつつ異常状態の電極棒を報知することができる。
【０１５７】
更に、図１Ａ、図５の給水設備では、制御部４０は、第１水位計または第２水位計のどちらか一方に異常が発生した場合に、他方の水位計の水位信号に基づいて受水槽制御を行う。ここで、図１Ａ、図５の給水設備で、制御部４０は、異常が発生した水位計及び／又は他方の水位計によって異常水位状態であると判断したら、図９に示すフローに従って、当該異常水位状態であると判断された水位計の水位レベル検出条件を第１の検出条件から第２の検出条件へと変更するとよい。例えば、制御部４０は、第１水位計または第２水位計の水位信号に基づいて受水槽制御を行っているときに、異常水位状態であると判断したら水位レベル検出条件を第１の検出条件から第２の検出条件へと変更する。そして、水位
レベル検出条件が第２の検出条件でも水位計に異常が発生した場合は、他方の水位計の水位信号に基づいて受水槽制御を行う。他の一例としては、制御部４０は、第１水位計または第２水位計の水位信号に基づいて受水槽制御を行っているときに、水位計に異常が発生した場合は、他方の水位計の水位信号に基づいて受水槽制御を行う。そして、切り替えた水位計によって異常水位状態であると判断したら水位レベルの検出条件を第１の検出条件から第２の検出条件へと変更する。
これにより、異常水位状態と判断された水位計は第２の検出条件へと変更されて給水制御を継続できるのに重ねて、一方の水位計に異常が生じたときに他方の水位計の水位信号に基づいて水位を検出できる。
【０１５８】
（第３の実施形態）
図１４は、第３の実施形態に係る給水設備の一例を示す図である。本実施形態の給水設備２０００は、上述した図１Ａの実施形態と同一の構成である給水装置１０を高置水槽方式にて使用する。
【０１５９】
本実施形態では、給水装置１０は、その吸込口と水道本管２１００または不図示の受水槽とが連通し、ポンプ２０によって送水された搬送液は、建物５００の屋上に設置された高置水槽２２１０に貯水され、当該高置水槽２２１０からの落水によって建物５００内の給水対象（例えば蛇口）５０１に供給される。給水装置１０の吐出口の給水管１０７には、定水位弁２２３２が設けられている。定水位弁２２３２は給水管１０７の流路を遮蔽可能なバルブであって、高置水槽２２１０の水位が一定範囲内（高置水槽減水以上満水未満）となるように開閉制御される。例えば、定水位弁２２３２は、電磁弁で構成されており、高置水槽方式の給水装置１０の制御部４０（Ｉ／Ｏ部４７）からの出力信号によって開閉制御される。なお、制御部４０を介さずに定水位弁２２３２の開閉が行われてもよい。
【０１６０】
高置水槽方式で制御部４０はポンプ２０を給水制御する。具体的には、定水位弁２２３２が開かれると、吐出し圧力が低下してポンプ２０が起動する。そして、定水位弁２２３２が閉じると、制御部４０は、ポンプ２０の吐出し流量が過少水量Ｑｍｉｎ未満に至ったことをフロースイッチ２４にて検出し、ポンプ２０を小水量停止する。なお、ポンプ２０が起動した後に、何らかの異常で高置水槽２２１０の水位が閉水位以上となっても定水位弁２２３２が閉じられないと、高置水槽２２１０内の水が溢れて建物５００の住居等に２次被害を及ぼしてしまう。そのため、制御部４０は、満水水位状態にてポンプ２０を強制停止してもよい。
【０１６１】
また、制御部４０は、水位計２１２０の信号に基づいて高置水槽２２１０の水位の水位状態を判定し、判定した水位状態に基づいた制御（水槽制御）を実行する。当該制御には、定水位弁２２３２の開閉制御、定水位弁開または減水水位によるポンプ２０の始動、満水状態によるポンプ２０の強制停止、運転パネル４４や外部端末８０等への水位（減水，定位水位弁開・閉 ，満水）の表示、及び定水位弁２２３２開閉信号や水位警報等の外部出力等の少なくともひとつが含まれる。
【０１６２】
本実施形態においても、第２の実施形態と同様に、制御部４０は、所定の水位レベル検出条件に基づいて高置水槽２２１０の水位の水位状態を検出し、当該検出した水位状態が所定の異常水位状態であると判断したら、水位レベル検出条件を第１の検出条件から第２の検出条件へと変更する。また、第２の検出条件で制御部４０は、警報を報知しながら、ポンプ２０の給水制御を行うとよい。こうすれば、異常水位状態が検出されて水位レベル検出条件が第２の検出条件へと変更されていることをユーザに容易に認識させることができ、水位計２１２０のメンテナンス、又は交換等を促すことができる。
【０１６３】
図１５Ａ〜図１５Ｆは、高置水槽方式に用いられる水位計２１２０の一例を示す図であ
る。なお、図中の矢印は、各水位レベルにおける水位状態の検出条件を示し、同等の検出条件に付いては同じ符号を付し説明を省略する。制御部４０は、Ｉ／Ｏ部４７に当該電極式レベルスイッチの信号を入力するための端子として、コモン端子Ｅ１５，Ｅ３３と各電極棒の信号を入力する入力端子Ｅ１１〜Ｅ１４，Ｅ３１ ，Ｅ３２を有する。また、図１５Ａ〜図１５Ｆでは、電極棒が直接Ｉ／Ｏ部４７に接続されているが、電極棒は、ケーブル等を介してＩ／Ｏ部４７と接続されてもよいし、水位計２１２０での検出信号は任意の無線または有線における通信でＩ／Ｏ部４７に送信されてもよい。
【０１６４】
水位計２１２０は、電極式レベルスイッチであって５本の電極棒２１２１〜２１２５にて水位レベルを検出する。図１５Ａは第１の検出条件における水位レベルを示し、図１５Ｂ〜図１５Ｆは第２の検出条件における水位レベルを示す。
【０１６５】
図１５Ａに示すように、第１の検出条件として、制御部４０は、コモン端子Ｅ１５に接続される電極棒２１２１をコモンとし、端子Ｅ１４に接続される電極棒２１２２に高置水槽減水の水位レベル、端子Ｅ１３に接続される電極棒２１２３に定水位弁開水位の水位レベル、端子Ｅ１２に接続される電極棒２１２４に定水位弁閉水位の水位レベル、端子Ｅ１１に接続される電極棒２１２４に満水の水位レベルを割り当てる。
【０１６６】
そして、制御部４０は、第１の検出条件に基づいて水位状態として高置水槽減水状態、開水位状態、閉水位状態、満水状態を検出する。具体的には、制御部４０は、矢印２１３１に示すように、コモン電極棒２１２１と電極棒２１２２との導通がない減水水位レベル未満で高置水槽減水状態とし運転パネル４４にて報知し、コモン電極棒２１２１と電極棒２１２２とが導通する減水水位レベル以上で高置水槽減水状態を解除する。矢印２１３２に示すように、コモン電極棒２１２１と電極棒２１２３との導通がない定水位弁開水位レベル未満で開水位状態を検出する。制御部４０は、水槽制御として、開水位状態を検出すると定水位弁２２３２を開く接点信号を出力するとよい。矢印２１３２に示すように、開水位状態の後にコモン電極棒２１２１と電極棒２１２４とが導通した閉水位レベル以上で閉水位状態を検出する。制御部４０は、閉水位状態を検出すると定水位弁２２３２を閉じる接点信号を出力する。矢印２１３３に示すように、コモン電極棒２１２１と電極棒２１２５とが導通した満水水位レベル以上で満水状態とし、コモン電極棒２１２１と電極棒２１２５との導通がない満水水位レベル未満で満水状態を解除する。制御部４０は、満水状態を検出すると運転パネル４４にて報知すると共にポンプ２０を強制停止するとよい。これにより、高置水槽内の２２１０内の水が溢れるのを防ぐことができる。なお、高置水槽２２１０の水位が満水レベル未満であれば、制御部４０は、ポンプ２０の給水制御を行う。
【０１６７】
ここで、高置水槽２２１０の水位が矛盾した水位状態となると、制御部４０は、異常水位状態（ステップＳ１０２０；Ｙｅｓ）と判断し、水位レベル検出条件を第１の検出条件から第２の検出条件に切り替える（ステップＳ１０３０）。次に、第２の検出条件の一例を図１５Ｂ〜図１５Ｆに示す。
【０１６８】
図１５Ｂは、電極棒２１２２の水位レベルが正常に検知できない場合の第２の検出条件の一例を示す。図１５Ｂに示す第２の検出条件として、制御部４０は、電極棒２１２１をコモンとし、電極棒２１２２の次に低い水位を検出する電極棒２１２３に高置水槽減水と閉水位の水位レベルを割り当て、電極棒２１２４に閉水位の水位レベル、電極棒２１２５に満水の水位レベルを割り当てる。そして、制御部４０は、矢印２１３１に代えて矢印２１３４に示す水位状態の検出を行う。具体的には、コモン電極棒２１２１と電極棒２１２３との導通がない減水水位レベル未満で高置水槽減水状態とし、コモン電極棒２１２１と電極棒２１２３との導通する減水水位レベル以上で高置水槽減水状態を解除する。
【０１６９】
図１５Ｃは、電極棒２１２３の水位レベルが正常に検知できない場合の第２の検出条件の一例を示す。図１５Ｃに示す第２の検出条件として、制御部４０は、電極棒２１２１をコモンとし、電極棒２１２２に高置水槽減水、電極棒１２２３の次に低い水位を検出する電極棒２１２４に開水位と閉水位、電極棒２１２５に満水の水位レベルを割り当てる。そして、制御部４０は、矢印２１３２に代えて矢印２１３５に示す水位状態の検出を行う。具体的には、矢印２１３５に示すように、コモン電極棒２１２１と電極棒２１２４との導通がない定水位弁開水位レベル未満で開水位状態を検出し、当該開水位状態の後にコモン電極棒２１２１と電極棒２１２４とが導通した閉水位レベル以上で閉水位状態を検出する。
【０１７０】
図１５Ｄは、電極棒２１２４の水位レベルが正常に検知できない場合の第２の検出条件の一例を示す。図１５Ｄに示す第２の検出条件として、制御部４０は、電極棒２１２１をコモンとし、電極棒２１２２に高置水槽減水、電極棒２１２３に開水位、電極棒２１２４の次に高い水位を検出する電極棒２１２３に閉水位、電極棒２１２５に満水の水位レベルを割り当てる。そして、制御部４０は、矢印２１３２に代えて矢印２１３６に示す水位状態の検出を行う。具体的には、矢印２１３６に示すように、コモン電極棒２１２１と電極棒２１２３との導通がない定水位弁開水位レベル未満で開水位状態を検出し、当該開水位状態の後にコモン電極棒２１２１と電極棒２１２３とが導通した閉水位レベル以上で閉水位状態を検出する。
【０１７１】
図１５Ｅは、電極棒２１２５の水位レベルが正常に検知できない場合の第２の検出条件の一例を示す。図１５Ｅに示す第２の検出条件として、制御部４０は、電極棒２１２１をコモンとし、電極棒２１２２に高置水槽減水、電極棒２１２３に開水位、電極棒２１２４に閉水位、電極棒２１２５の次に低い水位を検出する電極棒２１２４に満水の水位レベルを割り当てる。そして、制御部４０は、矢印２１３３に代えて矢印２１３７に示す水位状態の検出を行う。具体的には、矢印２１３７に示すように、コモン電極棒２１２１と電極棒２１２４が導通する満水水位レベル以上で満水状態を検出し、コモン電極棒２１２１と電極棒２１２４の導通がない満水水位レベル未満で満水状態を解除する。
【０１７２】
図１５Ｆは、電極棒２１２５の水位レベルが正常に検知できない場合の第２の検出条件の別の一例を示す。図１５Ｆに示す第２の検出条件として、制御部４０は、電極棒２１２１をコモンとし、電極棒２１２２に高置水槽減水、電極棒１２２３に開水位と閉水位、電極棒２１２５の次に低い水位を検出する電極棒２１２４に満水の水位レベルを割り当てる。そして、制御部４０は、矢印２１３２に代えて矢印２１３８に示す水位状態の検出を行う。具体的には、矢印２１３８に示すように、コモン電極棒２１２１と電極棒２１２３の導通がない定水位弁開水位レベル未満で開状態を検出し、コモン電極棒２１２１と電極棒２１２３が導通する定水位弁閉水位レベル以上で閉状態とする。また、矢印２１３３に代えて矢印２１３９に示す水位状態の検出を行う。具体的には、矢印２１３９に示すように、コモン電極棒２１２１と電極棒２１２４が導通する満水水位レベル以上で満水状態を検出し、コモン電極棒２１２１と電極棒２１２４の導通がない満水水位レベル未満で満水状態を解除する。
【０１７３】
そして、制御部４０は、第２の検出条件に基づいて水位状態として高置水槽減水状態、開状態、閉状態、満水状態を検出する。
【０１７４】
このように、制御部４０は、第１の検出条件にて水位レベルが正常に検知できないと判断したら、第２の検出条件では、当該水位レベルが検知できない電極棒に代えて、次に低い水位または次に高い水位を検出するための電極棒を当該水位レベルに割り当てて、水位状態を検出するとよい。これにより、制御部４０は、水槽制御を継続できる。
また、本実施形態では、第１の検出条件下にて満水水位レベルを検出する電極棒２１２５が異常となった場合、第２の検出条件下では電極棒２１２５に代えて次に低い水位を検出する電極棒２１２４に満水の水位レベルを割り当てた。一実施形態では、満水水位レベ
ルを検出する電極棒１３２２が異常となった場合、当該以上となった電極棒に代えてより低い水位を検出する電極棒２１２２，２１２３の何れかに満水の水位レベルを割り当ててもよい。このように、満水水位レベルを検出する電極棒２１２５が異常となった場合、電極棒２１２５に代えてより低い水位を検出する電極棒に満水の水位レベルを割り当てることで、高置水槽２２１０の水位が所定のレベル以上の水位状態のときのみポンプ２０は強制停止される。これにより、高置水槽２２１０が溢れるのを防止しつつ給水を継続できる。
【０１７５】
ここで、図１５Ｂ〜図１５Ｆに示す第２の検出条件下では、第２の実施形態と同様に、ひとつの電極棒にて複数の水位レベルを検出する。この場合も、少なくともひとつの水位状態を検出する検出タイマを用いてもよいし、水位状態ごとに異なる設定時間にて検出タイマを用いてもよい。これにより、複数の水位レベルが検出されるタイミングをずらすことができ、制御部４０による制御が過度に変更されることを抑制できる。
【０１７６】
（第３の実施形態の変形例１）
図１６は、第３の実施形態に係る給水設備の変形例を示す図である。本変形例の給水設備３０００は、給水設備２０００と同様に、給水装置１０を高置水槽方式にて使用する。そして、高置水槽として、高置水槽３１１０Ａ（第１水槽）と、高置水槽３１１０Ｂ（第２水槽）と、を備える。
【０１７７】
高置水槽３１１０Ａ，高置水槽３１１０Ｂには、給水装置１０の給水管１０７より分岐した流入管３１３０Ａ（第１流入管），３１３０Ｂ（第２流入管）によって、給水装置１０にて送水された水が貯められる。流入管３１３０Ａ，３１３０Ｂのそれぞれには、バルブ３１３２Ａ，３１３２Ｂが設けられている。バルブ３１３２Ａ，３１３２Ｂは流入管３１３０Ａ，３１３０Ｂの流路を遮蔽可能なバルブであって、例えば、電磁弁で構成されており、給水装置１０のＩ/Ｏ部４７からの出力信号によって制御される。
【０１７８】
高置水槽３１１０Ａ，３１１０Ｂの下流側には、手動で開閉可能な仕切弁３１１８Ａ，３１１８Ｂが設けられている。また、高置水槽３１１０Ａ，３１１０Ｂは、止水弁３１１４が設けられた連通管によって互いに接続されているとよい。
【０１７９】
高置水槽３１１０Ａ，３１１０Ｂのそれぞれには、水槽内の水位を検知する電極式レベルスイッチである第１水位計３１２０Ａ、第２水位計３１２０Ｂが設けられている。第１水位計３１２０Ａ、第２水位計３１２０Ｂは上述の水位計２１２０と同様の機能を有す。
【０１８０】
給水設備３０００では、制御部４０は、第１水位計または第２水位計のどちらか一方に異常が発生した場合に、他方の水位計の水位信号に基づいて水槽制御を行う。更に、制御部４０は、異常が発生した水位計及び／又は他方の水位計によって異常水位状態であると判断したら、図９に示すフローに従って、当該異常水位状態であると判断された水位計の水位レベル検出条件を第１の検出条件から第２の検出条件へと変更するとよい。例えば、制御部４０は、第１水位計または第２水位計の水位信号に基づいて水槽制御を行っているときに、異常水位状態であると判断した水位計の水位レベル検出条件を第１の検出条件から第２の検出条件へと変更する。そして、水位レベル検出条件が第２の検出条件でも水位計に異常が発生した場合は、他方の水位計の水位信号に基づいて水槽制御を行う。他の一例としては、制御部４０は、第１水位計または第２水位計の水位信号に基づいて水槽制御を行っているときに、水位計に異常が発生した場合は、他方の水位計の水位信号に基づいて水槽制御を行う。そして、切り替えた水位計によって異常水位状態であると判断したら水位レベル検出条件を第１の検出条件から第２の検出条件へと変更する。
これにより、異常水位状態であると判断された水位計は第２の検出条件へと変更されて給水制御を継続できるのに重ねて、一方の水位計に異常が生じたときに他方の水位計の水位信号に基づいて水位を検出できる。
【０１８１】
（第３の実施形態の変形例２）
図１７は、第３の実施形態に係る給水設備の別の変形例を示す図である。本変形例の給水設備４０００は、給水設備２０００と同様に、給水装置１０を高置水槽方式にて使用する。
【０１８２】
高置水槽２２１０には、水槽内の水位を検知する電極式レベルスイッチである第１水位計４１２０Ａ、第２水位計４１２０Ｂが設けられている。第１水位計４１２０Ａ、第２水位計４１２０Ｂは、それぞれ上述の水位計２１２０と同様の機能を有す。
【０１８３】
給水設備４０００では、制御部４０は、第１水位計４１２０Ａまたは第２水位計４１２０Ｂのどちらか一方に異常が発生した場合に、他方の水位計の水位信号に基づいて水槽制御を行う。制御部４０は、異常が発生した水位計及び／又は他方の水位計によって異常水位状態であると判断したら、図９に示すフローに従って、当該異常水位状態であると判断された水位計の水位レベル検出条件を第１の検出条件から第２の検出条件へと変更するとよい。例えば、制御部４０は、第１水位計４１２０Ａまたは第２水位計４１２０Ｂの水位信号に基づいて水槽制御を行っているときに、異常水位状態であると判断したら水位計の水位レベル検出条件を第１の検出条件から第２の検出条件へと変更する。そして、水位レベル検出条件が第２の検出条件でも水位計に異常が発生した場合は、他方の水位計の水位信号に基づいて水槽制御を行う。他の一例としては、制御部４０は、第１水位計または第２水位計の水位信号に基づいて水槽制御を行っているときに、水位計に異常が発生した場合は、他方の水位計の水位信号に基づいて水槽制御を行う。そして、切り替えた水位計によって異常水位状態であると判断したら水位レベルの検出条件を第１の検出条件から第２の検出条件へと変更する。
これにより、異常水位状態と判断された水位計は第２の検出条件へと変更されて給水制御を継続できるのに重ねて、一方の水位計に異常が生じたときに他方の水位計の水位信号に基づいて水位を検出できる。
【０１８４】
以上説明した本実施形態は、以下の形態としても記載することができる。［形態１］形態１によれば、ポンプを有し、給水先に搬送液を供給するための給水装置が提案される。前記給水装置は、前記搬送液を貯水する水槽に設けられた水位計からの水位信号に基づいて水槽制御を行う制御部を備え、前記制御部は、所定の検出条件に基づいて前記水槽の水位状態を検出し、当該検出した水位状態が所定の異常水位状態であると判断したら、前記検出条件を第１の検出条件から第２の検出条件へ変更することを特徴とする。形態１によれば、第１の検出条件で異常水位状態であると判断されると、水位状態の検出条件が第１の検出条件から第２の検出条件へと変更される。このように、水槽の水位状態の検出にて何らかの異常が発生した場合でも、水位計の検出条件を変更した水槽制御にて給水を継続することができる。
【０１８５】
［形態２］形態２によれば、形態１において、前記水位計は複数の電極棒を備えた電極式レベルスイッチであって、前記制御部は、前記検出条件に基づいて、前記複数の電極棒に前記水槽の少なくともひとつの水位レベルを割り当てて前記水槽の水位状態を検出し、前記第２の検出条件では、前記複数の電極棒のうち前記第１の検出条件下で異常水位状態であると判断された電極棒を除いた電極棒のみで前記水位レベルを検出する。形態２によれば、第２の検出条件下では、第１の検出条件下で異常水位状態であると判断された電極棒を除いた電極棒のみで水位レベルが検出される。これにより、電極棒による水位検知にて何らかの異常が発生した場合でも、検出条件を変更した水槽制御にて給水を継続することができる。
【０１８６】
［形態３］形態３によれば、形態１または２において、前記水位計は複数の電極棒を備えた電極式レベルスイッチであって、前記制御部は、前記検出条件に基づいて、前記複数の電極棒に前記水槽の複数の水位レベルを割り当てて前記水槽の水位状態を検出し、前記第１の検出条件下で異常水位状態であると判断された水位レベルは、前記第２の検出条件で前記第１の検出条件とは別の電極棒が割り当てられる。形態３によれば、第２の検出条件では、第１の検出条件下で異常水位状態であると判断された水位レベルを、別の電極棒を使用して検出できる。
【０１８７】
［形態４］形態４によれば、形態１から３において、前記検出条件は、警報リセットの外部入力によって前記第２の検出条件から前記第１の検出条件に復帰する。
【０１８８】
［形態５］形態５によれば、形態１から４において、前記給水装置は前記水槽に貯められた液をポンプにて加圧して給水先に供給する受水槽方式で使用され、前記制御部は、前記第１の検出条件下で前記水位計から入力された水位信号が渇水の水位レベル未満を検出したら前記異常水位状態であると判断することを特徴とする。これは、受水槽方式では、通常、水槽が渇水状態に至らないように制御されることに基づく。そして、水位計の異常で渇水を誤検知した場合でも、ポンプを強制停止することなく給水を継続できる。
【０１８９】
［形態６］形態６によれば、形態１から４において、前記給水装置は、前記ポンプにて加圧した搬送液を前記水槽に貯水し、当該貯水した搬送液を給水先に供給する高置水槽方式で使用され、前記第１の検出条件下で前記水位計から入力された水位信号が満水の水位レベル以上を検出したら前記異常水位状態であると判断することを特徴とする。これは、高置水槽方式では、通常、水槽が満水状態に至らないように制御されることに基づく。そして、水位計の異常で高置水槽満水が検知できない場合でも、高置水槽から搬送液が溢れるのを防止することができる。
【０１９０】
［形態７］形態７によれば、形態１から６において、前記第１の検出条件下の前記水槽制御によって強制停止された前記ポンプが、前記第２の検出条件への変更によって前記強制停止を解除されることを特徴とする。これは、第２の検出条件は、異常水位状態によるポンプの強制停止を解除する水位条件であることに基づく。これにより、異常水位状態によるポンプの強制停止を解除して給水を継続できる。
【０１９１】
［形態８］形態８によれば、形態１から７において、前記ポンプの吐出し圧力、及び／又は、吐出し流量に基づいて、前記ポンプが空運転であるか否かを判断し、前記検出条件が前記第２の検出条件に変更されているときに前記ポンプが空運転であると判断したら、前記ポンプを異常停止することを特徴とする。形態８によれば、検出条件が第２の検出条件に変更されているときにポンプの空運転が継続されることを抑制できる。
【０１９２】
［形態９］形態９によれば、形態１から７において、前記ポンプの吐出し圧力、及び／又は、吐出し流量に基づいて、所定の運転状態が空運転検出時間継続したときに、前記ポンプが空運転であると判断して当該ポンプを異常停止し、前記検出条件が前記第２の検出条件に変更されているときには、前記検出条件が前記第１の検出条件であるときよりも、前記空運転検出時間を短い時間とする。形態９によれば、検出条件が第２の検出条件に変更されているときに迅速にポンプが空運転であることを判断して、ポンプの空運転が継続されることを抑制できる。
【０１９３】
［形態１０］形態１０によれば、形態１から９において、前記水位計は複数の電極棒を備えた電極式レベルスイッチであって、前記所定の異常水位状態は、前記水位計にて検出される水位レベルに矛盾が生じている状態であって、前記水位計にて検出される水位レベルに矛盾が生じている状態は、前記複数の電極棒のうち少なくともひとつが水面より露出し
た状態を検出するのと同時に、該露出した電極棒よりも高い水位を検出する電極棒の一部が水没した状態を検出した状態である。
【０１９４】
［形態１１］形態１１によれば、形態１から１０において、前記水位計は複数の電極棒を備えた電極式レベルスイッチであって、前記所定の異常水位状態は、前記水位計にて検出される水位レベルに矛盾が生じている状態であって、前記水位計にて検出される水位レベルに矛盾が生じている状態は、前記複数の電極棒のうち少なくともひとつが水没した状態を検出するのと同時に、該露出した電極棒よりも低い水位を検出する電極棒が水面より露出した状態を検出した状態である。
【０１９５】
［形態１２］形態１２によれば、形態１から１１において、前記制御部は、第２の検出条件下で、警報を報知しつつ前記ポンプを給水制御にて運転することを特徴とする。形態１２によれば、異常水位状態が検出されて検出条件が第２の検出条件へと変更されていることをユーザに認識させることができる。
【０１９６】
［形態１３］形態１３によれば、形態１から１２において、前記制御部は、前記水槽の水位を検出する複数の水位計のうち、少なくともひとつの水位計の水位信号に基づいて前記水槽制御を行い、前記複数の水位計のうちの少なくともひとつの水位計を制御用センサとし、前記制御用センサで所定の異常を検出したら、当該異常を検出した水位計と異なる水位計である変更センサを用いて前記水槽の水位状態の検出を行うことを特徴とする。形態１３によれば、複数の水位計のうち、いずれかの水位計に異常が生じたときにも、別の水位計の水位信号に基づいて水槽の水位状態の検出を行うことができ、ポンプの異常停止を抑制して給水を継続することができる。
【０１９７】
［形態１４］形態１４によれば、ポンプにて給水先に搬送液を供給するための給水装置が提案され、前記給水装置は水槽に貯められた液をポンプにて加圧して給水先に供給する受水槽方式で使用され、前記給水装置は、前記水槽の渇水水位レベルと前記渇水水位レベルよりも高い所定の水位レベルとを検出する水位計の水位信号を入力し、且つ、前記ポンプを給水制御する制御部を有し、前記制御部は、前記渇水水位レベル未満と前記所定の水位レベル未満の水位信号を入力したら前記ポンプを強制停止し、前記渇水水位レベル未満と前記所定の水位レベル以上の水位信号を入力したら前記ポンプの給水制御を継続する。形態１４によれば、渇水水位レベルの検出に異常が生じた場合に、所定の水位レベル以上の水位信号を入力するとポンプの給水制御が継続され、ポンプの強制停止を抑制して給水を継続することができる。なお、前記所定の水位レベルは、前記水位計にて検出可能な前記渇水水位レベルの次に低い水位レベルとしてもよい。
【０１９８】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【０１９９】
１０…給水装置
２０…ポンプ
２１…モータ
２２…インバータ
２３…逆止弁
２４…フロースイッチ
２６…圧力センサ
２８…圧力タンク
４０…制御部
４１…記憶部
４２…演算部
４４…運転パネル
４５…設定部
４６…表示部
４７…Ｉ／Ｏ部（入出力部）
４８…通信部
８０…外部端末
８０Ａ…表示操作部
１１０Ａ…受水槽（第１受水槽）
１１０Ｂ…受水槽（第２受水槽）
１１２…連通管
１１４…止水弁
１１８Ａ，１１８Ｂ…仕切弁
１２０Ａ…電極式レベルスイッチ（第１水位計）
１２０Ｂ…電極式レベルスイッチ（第２水位計）
１２１〜１２５…電極棒
１３０Ａ…流入管（第１流入管）
１３０Ｂ…流入管（第２流入管）
１３２Ａ…市水流入弁（第１市水流入弁）
１３２Ｂ…市水流入弁（第２市水流入弁）
１４０Ａ…フロートスイッチ（第１水位計）
１４０Ｂ…フロートスイッチ（第２水位計）
２１０…受水槽
３００、１０００、２０００、３０００、４０００…給水設備
１１２０、１２２０、１３２０、１４２０、１５２０、２１２０…水位計
２２１０、３１１０Ａ、３１１０Ｂ…高置水槽
３１２０Ａ、４１２０Ａ…水位計（第１水位計）
３１２０Ｂ、４１２０Ｂ…水位計（第２水位計）
【図１Ａ】
2020159244.tif 000003
【図１Ｂ】
2020159244.tif 000004
【図２】
2020159244.tif 000005
【図３】
2020159244.tif 000006
【図４】
2020159244.tif 000007
【図５】
2020159244.tif 000008
【図６】
2020159244.tif 000009
【図７】
2020159244.tif 000010
【図８】
2020159244.tif 000011
【図９】
2020159244.tif 000012
【図１０】
2020159244.tif 000013
【図１１】
2020159244.tif 000014
【図１２】
2020159244.tif 000015
【図１３】
2020159244.tif 000016
【図１４】
2020159244.tif 000017
【図１５Ａ】
2020159244.tif 000018
【図１５Ｂ】
2020159244.tif 000019
【図１５Ｃ】
2020159244.tif 000020
【図１５Ｄ】
2020159244.tif 000021
【図１５Ｅ】
2020159244.tif 000022
【図１５Ｆ】
2020159244.tif 000023
【図１６】
2020159244.tif 000024
【図１７】
2020159244.tif 000025